(57)【要約】【課題】  Ｎアップ印刷方式の印刷表現の自由度を広げることを可能にする。【解決手段】  複数のページに対応する画像データをそれぞれ取得して、これら画像データに基づいて、単数の被印刷媒体の所定位置に、前記複数のページの画像を並べて印刷する印刷装置において、前記ページ毎に、該ページの画像を被印刷媒体に印刷する際の印刷モードを異ならせて設定可能にする。【選択図】  図１３
2010263658.tif 000002
【特許請求の範囲】
【請求項１】
複数のページに対応する画像データをそれぞれ取得して、これら画像データに基づいて、単数の被印刷媒体の所定位置に、前記複数のページの画像を並べて印刷する印刷装置において、
前記ページ毎に、該ページの画像を被印刷媒体に印刷する際の印刷モードを異ならせて設定可能なことを特徴とする印刷装置。
【請求項２】
請求項１に記載の印刷装置において、
前記印刷モードは、一つの基本色で単色印刷するモノクロ印刷モードと、相異なる複数の基本色を組み合わせて多色印刷するカラー印刷モードとから選択されて設定されることを特徴とする印刷装置。
【請求項３】
請求項２に記載の印刷装置において、
前記ページに対応する画像データをＲＧＢデータで取得し、
前記カラー印刷モードに設定されたページに対しては、該ページに対応するＲＧＢデータをＣＭＹＫデータに変換して印刷する一方、モノクロ印刷モードに設定されたページに対しては、該ページに対応するＲＧＢデータをＫデータに変換して印刷することを特徴とする印刷装置。
【請求項４】
請求項１乃至３のいずれかに記載の印刷装置において、
前記印刷モードは、印刷解像度が相異なる複数の品質モードから選択されて設定されることを特徴とする印刷装置。
【請求項５】
請求項１乃至４のいずれかに記載の印刷装置において、
原稿から画像を読み取る動作を複数回行って複数のページに対応する画像データをそれぞれ取得することを特徴とする印刷装置。
【請求項６】
請求項５に記載の印刷装置において、
前記印刷モードを設定する印刷モード設定手段を備え、
前記読み取り動作を行う度に、前記印刷モード設定手段は、印刷モードの設定入力を受け付けることを特徴とする印刷装置。
【請求項７】
複数のページに対応する画像データをそれぞれ取得して、これら画像データに基づいて、単数の被印刷媒体の所定位置に、前記複数のページの画像を並べて印刷する印刷装置において、
各ページの画像を被印刷媒体に印刷する際の印刷モードを設定する印刷モード設定手段を備え、
原稿から画像を読み取る動作を複数回行って複数のページに対応する画像データをＲＧＢデータでそれぞれ取得し、前記印刷モード設定手段は、前記読み取り動作を行う度に、これによって取得した画像データに対する印刷モードの設定入力を受け付け、
前記印刷モードは、一つの基本色で単色印刷するモノクロ印刷モードと、相異なる複数の基本色を組み合わせて多色印刷するカラー印刷モードとから選択されて設定され、
前記カラー印刷モードに設定されたページに対しては、該ページに対応する画像データをＣＭＹＫデータに変換して印刷する一方、モノクロ印刷モードに設定されたページに対しては、該ページに対応する画像データをＫデータに変換して印刷することを特徴とする印刷装置。
【請求項８】
複数のページに対応する画像データをそれぞれ取得して、これら画像データに基づいて、単数の被印刷媒体の所定位置に、前記複数のページの画像を並べて印刷する印刷方法において、
前記ページ毎に、該ページの画像を被印刷媒体に印刷する際の印刷モードを異ならせて設定可能なことを特徴とする印刷方法。
【請求項９】
コンピュータ本体と、該コンピュータ本体に通信可能に接続された印刷装置とを備えたコンピュータシステムであって、
複数のページに対応する画像データをそれぞれ前記コンピュータ本体から取得して、これら画像データに基づいて、単数の被印刷媒体の所定位置に、前記複数のページの画像を並べて印刷し、
前記ページ毎に、該ページの画像を被印刷媒体に印刷する際の印刷モードを異ならせて設定可能なことを特徴とするコンピュータシステム。
【請求項１０】
複数のページに対応する画像データをそれぞれ取得して、これら画像データに基づいて、単数の被印刷媒体の所定位置に、前記複数のページの画像を並べて印刷する印刷装置に対して、
前記ページ毎に、該ページの画像を被印刷媒体に印刷する際の印刷モードを異ならせて設定可能とする機能を実現させるためのコンピュータプログラム。
【発明の詳細な説明】
【技術分野】
【０００１】
本発明は、印刷装置、印刷方法、コンピュータシステム、およびコンピュータプログラムに関する。
【背景技術】
【０００２】
従来から、原稿から画像を読み取るためのスキャナ部と、このスキャナ部で読み取った画像を用紙等の被印刷媒体に印刷する印刷部とを備えて、コピー動作を実行可能な印刷装置が使用されている。そして、このような印刷装置としては、今までは用紙にモノクロ印刷を行うものが多かったが、最近では、用紙に印刷する印刷モードを、用紙毎にカラー印刷モードまたはモノクロ印刷モードに切り換えて設定可能な印刷装置が主流となっている。すなわち、操作パネル部のカラーコピーボタンまたはモノクロコピーボタンのいずれかを押す等して印刷モードを用紙毎に指定可能となっている（例えば、特許文献１を参照）。 
一方、このような印刷装置のなかには、便利な機能の一つとして、Ｎ枚の原稿から読み取ったＮページ分の原稿の画像を一枚の用紙に並べて印刷する所謂割付印刷（以下、Ｎアップ印刷という）機能を搭載しているものもある。
【０００３】
このＮアップ印刷について２アップ印刷を例に説明すると、先ず、ユーザは、印刷装置の操作パネル部に用意された印刷方式設定メニュー画面から「２アップ印刷」を選択する。次にユーザは、１枚目の原稿を原稿台ガラスにセットして、操作パネル部のカラーコピーボタンまたはモノクロコピーボタンのいずれかを押す。すると、スキャナ部は、原稿台ガラス上の原稿から１ページ目に対応する画像を読み取って、この画像を用紙の左半分の領域に印刷する。次に、ユーザは、原稿台ガラス上の原稿を２枚目の原稿に交換してセットし、再びカラーコピーボタンまたはモノクロコピーボタンのいずれかを押す。すると、スキャナ部は、原稿台ガラス上の２枚目の原稿から２ページ目に対応する画像を読みって、この画像を前記用紙の残る右半分の領域に印刷する。
【先行技術文献】
【特許文献】
【０００４】
【特許文献１】特開平２００２−２４７３８２号公報（第２頁）
【発明の概要】
【発明が解決しようとする課題】
【０００５】
しかしながら、このＮアップ印刷にあっては、前述の１枚目の原稿に対するコピーボタン操作によって、前記用紙内に印刷する全ページ分の印刷モードが確定してしまい、もって、用紙単位でしかカラー印刷またはモノクロ印刷という印刷モードの変更ができず、用紙内のページ毎の印刷モードの変更は不可能であった。
【０００６】
すなわち、前述の２枚目の原稿に対するコピーボタン操作は、スキャナ部に対して、２枚目の原稿からの画像読み取り動作の開始を指示する意味しかなく、２ページ目の印刷モードを設定するものではなかった。例えば、１枚目の原稿がモノクロ文書原稿で２枚目がカラー写真原稿の場合に、１枚目のコピーボタン操作としてモノクロコピーボタンを押すと、たとえ２枚目の時にカラーコピーボタンを押したとしても印刷モードは、用紙の全面に亘ってモノクロ印刷に固定されており、もってカラー写真のはずの２ページ目の画像もモノクロ印刷されていた。そして、これによって、用紙への印刷表現の自由度が著しく狭く制限されていた。
【０００７】
本発明は、かかる課題に鑑みてなされたものであり、その目的とするところは、Ｎアップ印刷方式の印刷表現の自由度を広げることが可能な印刷装置、印刷方法、コンピュータシステム、およびコンピュータプログラムを実現することにある。
【課題を解決するための手段】
【０００８】
前記課題を解決するために、主たる本発明は、複数のページに対応する画像データをそれぞれ取得して、これら画像データに基づいて、単数の被印刷媒体の所定位置に、前記複数のページの画像を並べて印刷する印刷装置において、前記ページ毎に、該ページの画像を被印刷媒体に印刷する際の印刷モードを異ならせて設定可能なことを特徴とする印刷装置である。 
本発明の他の特徴については、本明細書及び添付図面の記載により明らかにする。
【発明の効果】
【０００９】
本発明によれば、Ｎアップ印刷方式の印刷表現の自由度を広げることが可能な印刷装置、印刷方法、コンピュータシステム、およびコンピュータプログラムを実現することができる。
【図面の簡単な説明】
【００１０】
【図１】本実施の形態に係る印刷装置の概略構成を示した斜視図である。
【図２】スキャナ部のカバーを開いた状態を示す斜視図である。
【図３】印刷装置の内部構成を示す説明図である。
【図４】プリンタ部の内部を露出させた状態を示す斜視図である。
【図５】操作パネル部の一例を示す図である。
【図６】品質モードを示す説明図である。
【図７】印刷ヘッド周辺の配置を示した説明図である。
【図８】印刷用紙搬送機構の駆動部を説明するための説明図である。
【図９】ノズルの配列を示す説明図である。
【図１０】駆動信号発生部の構成を示すブロック図である。
【図１１】制御回路の一例を示すブロック図である。
【図１２】本実施形態の２アップ印刷方式の説明図である。
【図１３】本実施形態の２アップ印刷のフロー図である。
【図１４】図１４Ａ〜図１４Ｂは、原稿セットの説明図である。
【図１５】２アップ印刷の際の制御回路の一例を示すブロック図である。
【図１６】第１レイアウトバッファの２値データの概念図である。
【図１７】図１７Ａ〜図１７Ｇは、第２レイアウトバッファのレイアウトイメージデータの概念図である。
【図１８】画像「Ｂ」を読み取る前の印刷時の様子の説明図である。
【図１９】コンピュータシステムの外観構成を示した説明図である。
【図２０】コンピュータシステムの構成を示すブロック図である。
【図２１】４アップ印刷の説明図である。
【発明を実施するための形態】
【００１１】
本明細書及び添付図面の記載により少なくとも次のことが明らかにされる。 
複数のページに対応する画像データをそれぞれ取得して、これら画像データに基づいて、単数の被印刷媒体の所定位置に、前記複数のページの画像を並べて印刷する印刷装置において、前記ページ毎に、該ページの画像を被印刷媒体に印刷する際の印刷モードを異ならせて設定可能なことを特徴とする印刷装置。
【００１２】
このような印刷装置によれば、被印刷媒体の所定位置に並べて印刷される各ページの印刷モードを、ページ毎に異ならせることができて、もって被印刷媒体への印刷表現の自由度を広げることができる。
【００１３】
また、かかる印刷装置において、前記印刷モードは、一つの基本色で単色印刷するモノクロ印刷モードと、相異なる複数の基本色を組み合わせて多色印刷するカラー印刷モードとから選択されて設定されるのが望ましい。 
このような印刷装置によれば、一つの被印刷媒体の所定位置に並べて印刷される各ページを、ページ毎に単色印刷または多色印刷のいずれかに設定できて、もって被印刷媒体への印刷表現の自由度を広げることができる。
【００１４】
また、かかる印刷装置において、前記ページに対応する画像データをＲＧＢデータで取得し、前記カラー印刷モードに設定されたページに対しては、該ページに対応するＲＧＢデータをＣＭＹＫデータに変換して印刷する一方、モノクロ印刷モードに設定されたページに対しては、該ページに対応するＲＧＢデータをＫデータに変換して印刷するのが望ましい。 
このような印刷装置によれば、各ページに対応する画像データをＲＧＢデータの形式で取得しさえすれば、印刷装置側で、設定された印刷モードに対応するデータに変換して印刷するので、取得可能なデータの互換性に優れる。
【００１５】
また、かかる印刷装置において、前記印刷モードは、印刷解像度が相異なる複数の品質モードから選択されて設定されるのが望ましい。 
このような印刷装置によれば、被印刷媒体の所定位置に並べて印刷される各ページを、ページ毎に印刷解像度を変更して印刷することができて、もって被印刷媒体への印刷表現の自由度を広げることができる。
【００１６】
また、かかる印刷装置において、原稿から画像を読み取る動作を複数回行って複数のページに対応する画像データをそれぞれ取得するのが望ましい。 
このような印刷装置によれば、原稿から画像を読み取って取得した複数ページの画像のそれぞれに対して、印刷モードを異ならせた印刷が可能となる。
【００１７】
また、かかる印刷装置において、前記印刷モードを設定する印刷モード設定手段を備え、前記読み取り動作を行う度に、前記印刷モード設定手段は、印刷モードの設定入力を受け付けるのが望ましい。 
このような印刷装置によれば、原稿から画像を読み取って取得した複数ページの画像のそれぞれに対して、印刷モードを設定可能となる。
【００１８】
また、複数のページに対応する画像データをそれぞれ取得して、これら画像データに基づいて、単数の被印刷媒体の所定位置に、前記複数のページの画像を並べて印刷する印刷装置において、各ページの画像を被印刷媒体に印刷する際の印刷モードを設定する印刷モード設定手段を備え、原稿から画像を読み取る動作を複数回行って複数のページに対応する画像データをＲＧＢデータでそれぞれ取得し、前記印刷モード設定手段は、前記読み取り動作を行う度に、これによって取得した画像データに対する印刷モードの設定入力を受け付け、前記印刷モードは、一つの基本色で単色印刷するモノクロ印刷モードと、相異なる複数の基本色を組み合わせて多色印刷するカラー印刷モードとから選択されて設定され、前記カラー印刷モードに設定されたページに対しては、該ページに対応する画像データをＣＭＹＫデータに変換して印刷する一方、モノクロ印刷モードに設定されたページに対しては、該ページに対応する画像データをＫデータに変換して印刷するのが望ましい。 
このような印刷装置によれば、既述の全ての効果を奏するため、本発明の目的が最も有効に達成される。
【００１９】
また、複数のページに対応する画像データをそれぞれ取得して、これら画像データに基づいて単数の被印刷媒体の所定位置に、前記複数のページの画像を並べて印刷する印刷方法において、前記ページ毎に該ページの画像を被印刷媒体に印刷する際の印刷モードを異ならせて設定可能なことを特徴とする印刷方法。 
このような印刷方法によれば、被印刷媒体の所定位置に並べて印刷される各ページの印刷モードを、ページ毎に異ならせることができて、もって被印刷媒体への印刷表現の自由度を広げることができる。
【００２０】
また、コンピュータ本体と、該コンピュータ本体に通信可能に接続された印刷装置とを備えたコンピュータシステムであって、複数のページに対応する画像データをそれぞれ前記コンピュータ本体から取得して、これら画像データに基づいて、単数の被印刷媒体の所定位置に、前記複数のページの画像を並べて印刷し、前記ページ毎に、該ページの画像を被印刷媒体に印刷する際の印刷モードを異ならせて設定可能なことを特徴とするコンピュータシステム。 
このようなコンピュータシステムによれば、被印刷媒体の所定位置に並べて印刷される各ページの印刷モードを、ページ毎に異ならせることができて、もって被印刷媒体への印刷表現の自由度を広げることができる。
【００２１】
また、複数のページに対応する画像データをそれぞれ取得して、これら画像データに基づいて、単数の被印刷媒体の所定位置に、前記複数のページの画像を並べて印刷する印刷装置に対して、前記ページ毎に、該ページの画像を被印刷媒体に印刷する際の印刷モードを異ならせて設定可能とする機能を実現させるためのコンピュータプログラム。 
このようなコンピュータプログラムによれば、被印刷媒体の所定位置に並べて印刷される各ページの印刷モードを、ページ毎に異ならせることができて、もって被印刷媒体への印刷表現の自由度を広げることができる。
【００２２】
＝＝＝印刷装置の概略構成＝＝＝
図１〜図５を参照して本実施の形態に係る印刷装置の概略構成について説明する。図１は本実施の形態に係る印刷装置の概略構成を示した斜視図、図２はスキャナ部１０のカバーを開いた状態を示す斜視図、図３は印刷装置の内部構成を示す説明図、図４はプリンタ部の内部を露出させた状態を示す斜視図、図５は操作パネル部の一例を示す図である。本実施形態の印刷装置は、原稿画像を入力するためのスキャナ機能、画像データに基づいて画像を用紙等の被印刷媒体に印刷するプリンタ機能、スキャナ機能により入力した画像を用紙等に印刷するローカルコピー機能を有するスキャナ・プリンタ・コピー複合装置（以下、ＳＰＣ複合装置という）である。
【００２３】
ＳＰＣ複合装置１は、原稿５の画像を読み取って画像データとして入力するためのスキャナ部１０と、画像データに基づいて画像を用紙等の被印刷媒体に印刷するプリンタ部３０と、ＳＰＣ複合装置１全体の制御を司る制御回路５０と、入力手段をなす操作パネル部７０とを有している。そして制御回路５０の制御により、スキャナ機能、プリンタ機能、及び、スキャナ部１０から入力されたデータをプリンタ部３０にて印刷するローカルコピー機能を実現する。
【００２４】
スキャナ部１０はプリンタ部３０の上に配置され、スキャナ部１０の上部に、読み取る原稿５を載置するための原稿台ガラス１２と、シート状の原稿５を読み取る際や、不使用時に原稿台ガラス１２を覆う原稿台カバー１４が設けられている。原稿台カバー１４は、開閉可能に形成され、閉止した際には原稿台ガラス１２上に載置された原稿を原稿台ガラス１２側に押圧する機能も有している。また、ＳＰＣ複合装置１の背面側にはプリンタ部３０へ用紙７を供給するための用紙供給部３２が設けられ、前面側には下側に、印刷された用紙７が排紙される排紙部３４、上側に入力手段としての操作パネル部７０が設けられており、プリンタ部３０に制御回路５０が内蔵されている。
【００２５】
排紙部３４には、不使用時に排紙口を塞ぐことが可能な排紙トレー３４１が備えられ、用紙供給部３２には、カット紙（図示しない）を保持する給紙トレー３２１が備えられている。印刷に用いる被印刷媒体としては、カット紙など単票状印刷用紙のみならず、ロール紙などの連続した印刷用紙でも構わず、ＳＰＣ複合装置１がロール紙への印刷を可能とする給紙構造を備えていても良い。
【００２６】
図４に示すように、プリンタ部３０とスキャナ部１０とは、背面側にてヒンジ機構４１により結合されており、ヒンジ機構４１の回動部を中心としてユニット化されたスキャナ部１０が手前側から持ち上げられる。スキャナ部１０を持ち上げた状態では、プリンタ部３０を覆うカバーの上部に設けられた開口３０１からプリンタ部３０の内部が露出される構成となっている。このようにプリンタ部３０の内部を露出させることにより、インクカートリッジ等の交換や、用紙詰まりの処理等を容易に行える構成としている。
【００２７】
また、本ＳＰＣ複合装置１への電源部はプリンタ部３０側に設けられており、前記ヒンジ機構４１の近傍にスキャナ部１０へ電源を供給するための給電ケーブル４３が設けられている。さらに、このＳＰＣ複合装置１には、スキャナ機能によるホストコンピュータ３への画像の取り込み、ホストコンピュータ３から送信された画像データの、プリンタ機能による出力を実現するためのＵＳＢインターフェイス５２が設けられている。
【００２８】
＝＝＝操作パネル部７０の構成＝＝＝
図５に示すように、操作パネル部７０はそのほぼ中央に液晶ディスプレイ７２と、報知ランプ７４とが設けられている。液晶ディスプレイ７２は２行１６桁の３２文字が表示可能であり、設定項目や設定状態、動作状態等を文字にて表示することが可能である。液晶ディスプレイ７２の脇に設けられた報知ランプ７４は、赤色ＬＥＤであり、エラー発生時に点灯してユーザーにエラー発生を報知する。
【００２９】
液晶ディスプレイ７２の左側には、電源ボタン７６と、スキャンスタートボタン７８と、設定表示ボタン８０と、クリアボタン８２とが設けられている。電源ボタン７６は、本ＳＰＣ複合装置１の電源を投入、遮断するためのボタンである。スキャンスタートボタン７８は、ＳＰＣ複合装置１がホストコンピュータ３に接続された状態において、スキャナ部１０による原稿５の読み取りを開始させるためのボタンである。設定表示ボタン８０は、ユーザーにより設定されたコピー機能に対する設定状態を液晶ディスプレイ７２に表示させるためのボタンである。クリアボタン８２は、コピー機能に対する設定をクリアし、各設定項目をデフォルト値に変更するためのボタンである。 
液晶ディスプレイ７２の右側には、カラーコピーボタン８４と、モノクロコピーボタン８６と、ストップボタン８８と、コピー枚数設定ボタン９０とが設けられている。
【００３０】
カラーコピーボタン８４は、カラーコピーを開始させるためのボタンであり、モノクロコピーボタン８６はモノクロコピーを開始させるためのボタンである。したがって、これらのコピーボタン８４，８６は、コピー動作の開始指示と、出力すべき印刷画像がカラー又はモノクロのいずれであるかを選択する選択手段とを兼ねている。詳細には、このいずれかのコピーボタン８４，８６を押すことによって、カラー印刷又はモノクロ印刷のいずれの印刷モードにより印刷するかを規定する印刷モード情報が生成されて、この情報を含む入力信号がＣＰＵ５４に送信される。なお、この印刷モード情報は、後述する本発明の特徴的事項であるＮアップ印刷処理に供される。ストップボタン８８は、開始したコピー動作を中止させるためのボタンである。
【００３１】
コピー枚数設定ボタン９０は、表面に「＋」又は「−」が表記された２つのボタン９０１，９０２で構成され、「＋」ボタン９０１を押すことにより設定枚数が増加され、「−」ボタン９０２を押すことにより設定枚数が減少される。
【００３２】
液晶ディスプレイ７２の手前側には、液晶ディスプレイ７２に表示される設定項目を切り替えるメニューボタン９２が設けられている。メニューボタン９２は、左右に配置された２つのボタンで構成され、それぞれ左向きの矢印または右向きの矢印が表記されている。左右いずれかのメニューボタン９２が押される毎に、表示される設定項目が決められた順に順次切り替わり、一通り表示し終わると最初の設定項目が表示される。左右の矢印は、設定項目を表示する順番を変更するためであり、両ボタン９２は、互いに他のボタンを押した際の表示順と逆の順番で設定項目を表示する。
【００３３】
このメニューボタン９２では、用紙の種類毎に品質モードを設定することができる。この品質モードは、用紙に印刷される画像の画質に関係し、すなわち、この品質モードの選択によって、主にプリンタ部３０で印刷する際の印刷解像度が決定される。
【００３４】
図７に、本実施形態のＳＰＣ複合装置１に用意された品質モードを例示するが、例えば普通紙に対しては「エコノミー、速い、綺麗」の３種類の品質モードが選択可能となっており、スーパーファイン紙に対しては「速い、綺麗」の２種類が選択可能となっている。また、これら普通紙等よりも一般に高画質が要求される光沢紙、ＰＭ写真用紙、およびＰＭマット紙に対しては、それぞれに「綺麗」の品質モードが用意されている。ユーザは、液晶ディスプレイ７２を見ながらメニューボタン９２を適宜操作して、この品質モードを入力する。そして、この入力に基づいて生成された品質モード情報は、前記コピーボタン操作による入力信号と共にＣＰＵ５４に送信される。
【００３５】
＝＝＝スキャナ部１０の構成＝＝＝
スキャナ部１０は、原稿５が載置される原稿台ガラス１２と、原稿台ガラス１２に載置された原稿５の読み取り面を原稿台ガラス１２側に押圧するための原稿台カバー１４と、原稿台ガラス１２を介して対向し原稿５と一定の間隔を保ちながら原稿５に沿って走査する読取キャリッジ１６と、読取キャリッジ１６を走査するための駆動手段１８と、読取キャリッジ１６を安定した状態にて走査させるための規制ガイド２０とで構成されている。
【００３６】
読取キャリッジ１６は、原稿台ガラス１２を介して原稿５に光を照射するための光源としての露光ランプ２２と、原稿５による反射光を集光させるレンズ２４と、原稿５による反射光をレンズ２４に導くための４枚のミラー２６と、レンズを透過した反射光を受光するＣＣＤセンサ２８と、前記規制ガイド２０と係合するガイド受け部２９とで構成されている。
【００３７】
ＣＣＤセンサ２８は、光信号を電気信号に変換するフォトダイオードが列状に配置された３本のリニアセンサで構成され、これら３本のリニアセンサは平行に配置されている。ＣＣＤセンサ２８は、図示しないＲ（レッド）、Ｇ（グリーン）、Ｂ（ブルー）の３つのフィルタを備え、リニアセンサ毎に異なる色のフィルタが設けられている。各リニアセンサはフィルタの色に対応した成分の光をそれぞれ検出する。例えば、Ｒのフィルタを備えたリニアセンサは赤色成分の光の強弱を検出する。３本のリニアセンサは、読取キャリッジ１６の移動方向（以下、副走査方向という）にほぼ直交する方向（以下、主走査方向という）に沿わされて配置される。
【００３８】
ＣＣＤセンサ２８の長さは、読み取り可能な原稿５の幅（主走査方向の長さ）より十分に短いため、原稿５の反射光による像は、レンズ２４によって縮小させてＣＣＤセンサ２８上に結像させることになる。すなわち、原稿５とＣＣＤセンサ２８との間に介在されるレンズ２４は、ＣＣＤセンサ２８側に近づけて配置するとともに、原稿５とレンズ２４との距離を長く設定する必要があり長い光路長が要求される。このため、走査する読取キャリッジ１６の限られたスペースの中で原稿５とレンズ２４との距離を確保すべく４枚のミラー２６にて反射させて長い光路長を確保している。
【００３９】
また、原稿５による反射光は、４枚のミラー２６によって反射されレンズ２４を透過してＣＣＤセンサ２８に至るが、３本のリニアセンサは平行に配置されているため、各リニアセンサに同時に結像する反射光の原稿に対する反射位置は、リニアセンサの間隔分だけ副走査方向にズレが生じることになる。このため、制御回路５０のスキャナコントロールユニット５８（図１１）では、このズレを補正するためのライン間補正処理が行われる。ライン間補正処理については後述する。
【００４０】
前記規制ガイド２０は、副走査方向に沿って設けられ、ステンレス製の円筒材で形成されている。この規制ガイド２０は、読取キャリッジ１６に設けられ、スラスト軸受けでなる２カ所のガイド受け部２９を貫通している。読取キャリッジ１６に設けられた２カ所のガイド受け部２９の副走査方向における間隔を広げることにより、読取キャリッジ１６を安定させて走査させることが可能となる。
【００４１】
駆動手段１８は、読取キャリッジ１６に固定された環状のタイミングベルト１８１と、このタイミングベルト１８１と噛み合うプーリ１８２とを備え、副走査方向の一方の端部側に配置されたパルスモータ１８３と、他方の端部側に配置されてタイミングベルト１８１に張力を付与するアイドラプーリー１８４とで構成されている。このパルスモータ１８３は、制御回路５０のスキャナコントロールユニット５８（図１１）により駆動されるが、パルスモータ１８３の速度に応じて変更される読取キャリッジ１６の走査速度により、読み取った画像を副走査方向に拡大及び縮小することが可能となる。
【００４２】
そして、スキャナ部１０では、露光ランプ２２の光を原稿５に照射し、その反射光をＣＣＤセンサ２８上に結像させつつ、読取キャリッジ１６を原稿５に沿って移動させる。このとき、ＣＣＤセンサ２８が受光した光量を示す電圧値として所定の周期で読み込むことにより、１周期の間に読み取りキャリッジ１６が移動した距離分の画像を、出力する画像の１ライン分のデータとして取り込んでいく。このとき、１ライン分のデータとして、Ｒ成分、Ｇ成分、Ｂ成分の３つのデータが取り込まれる。
【００４３】
＝＝＝プリンタ部３０の構成＝＝＝
プリンタ部３０は、インクジェット方式が採用されている。そして、シアン（Ｃ）、マゼンタ（Ｍ）、イエロ（Ｙ）、ブラック（Ｋ）の４色を基本色として、これら色インクを印刷用紙等の被印刷媒体上に吐出してドットを形成することによってカラー画像を形成する。また、このプリンタ部３０は、ブラック（Ｋ）の色インクのみを用いてモノクロ画像を出力する単色印刷も可能である。このカラー画像またはモノクロ画像のいずれを出力するかは、２値化処理後の２値データに基づいており、この２値データについては後述する。
【００４４】
次に、図３、図７、図８を参照してプリンタ部３０について説明する。図７は印刷ヘッド周辺の配置を示した説明図、図８は印刷用紙搬送機構の駆動部を説明するための説明図である。
【００４５】
プリンタ部３０は、図示するように、書込キャリッジ３６に搭載された印刷ヘッド３８を駆動してインクの吐出及びドット形成を行う機構と、この書込キャリッジ３６をキャリッジモータ４０によって用紙７の搬送方向と直交する方向に往復動させる機構と、紙送りモータ（以下、ＰＦモータともいう）４２によって給紙トレー３２１（図１参照）から供給される用紙７を搬送する機構とを有している。
【００４６】
インクの吐出及びドット形成を行う機構は、インク吐出部としての複数のノズルを備えた印刷ヘッド３８を備え、印刷指令信号に基づいて所定のノズルからインクを吐出させる。印刷ヘッド３８の下面３８１には、用紙７の搬送方向に沿って、複数のノズルが列をなし、用紙７の搬送方向と直交する方向に複数列設けられている。印刷ヘッド３８及びノズル配列の詳細は後述する。印刷ヘッド３８には各ノズルに対応させて１６ビットのメモリを備えており、後述するヘッドコントロールユニット６８（図１１）からは、各ノズルに１６ビット単位でデータが転送される。
【００４７】
書込キャリッジ３６を往復動させる機構は、書込キャリッジ３６を駆動するキャリッジモータ（以下、ＣＲモータともいう）４０と、用紙７の搬送方向と直交する方向に設けられ、書込キャリッジ３６を摺動可能に保持する摺動軸４４と、書込キャリッジ３６に固定されたリニア式エンコーダ４６と、所定の間隔にスリットが形成されたリニア式エンコーダ用符号板４６１と、キャリッジモータ４０の回転軸に取付けられたプーリ４８と、プーリ４８によって駆動されるタイミングベルト４９から構成されている。
【００４８】
書込キャリッジ３６には、印刷ヘッド３８と、この印刷ヘッド３８と一体に設けられたカートリッジ装着部が固定され、このカートリッジ装着部には、黒（Ｋ）、シアン（Ｃ）、マゼンタ（Ｍ）、イエロ（Ｙ）等のインクが収容されたインクカートリッジが装着される。
【００４９】
給紙トレー３２１から供給される用紙７を搬送する機構は、前記印刷ヘッド３８と対向して配置され、用紙７と印刷ヘッド３８とが適切な距離となるように用紙７を案内する案内部材としてのプラテン３５と、このプラテン３５に対し用紙７の搬送方向の上流側に設けられ、供給された用紙７をプラテン３５に所定の角度にて接触するように搬送する搬送ローラ３７と、プラテン３５に対し用紙７の搬送方向の下流側に設けられ、搬送ローラ３７から外れた用紙７を搬送して排紙するための排紙ローラ３９と、搬送ローラ３７及び排紙ローラ３９を駆動するためのＰＦモータ４２と、用紙７の搬送量を検出するためのロータリ式エンコーダ４７と、用紙７の有無及び用紙７の先端・後端を検出するための用紙検出センサ４５とを有している。
【００５０】
搬送ローラ３７は用紙７の搬送経路下側に設けられており、その上側には搬送ローラ３７と対向させて用紙７を保持するための従動ローラ３７１が設けられている。排紙ローラ３９も用紙７の搬送経路下側に設けられて、その上側に排紙ローラ３９と対向させて用紙７を保持するための従動ローラ３９１が設けられているが、排紙ローラ３９と対向する従動ローラ３９１は薄板でなり外周部に細かな歯が設けられたローラであり、印刷後の用紙７の表面と接触してもインクが擦れないように構成されている。
【００５１】
また、搬送ローラ３７と用紙７との接触位置は、プラテン３５と用紙７との接触位置より高くなるように配置されている。すなわち搬送ローラ３７から搬送された用紙７はプラテン３５と所定の角度にて接触し、さらに搬送される。これにより、用紙７はプラテン３５の後述する案内面３５１に押し付けられるように沿わされて搬送される。このため、プラテン３５によって用紙７をノズルから適正な位置に維持させて良好な画像を得ることが可能となる。
【００５２】
また、搬送ローラ３７と排紙ローラ３９とは、ギア列３１により繋げられ、ＰＦモータ４２の回転が伝達されて回動され、両ローラ３７，３９による用紙７の搬送速度は一致している。
【００５３】
プラテン３５は、印刷ヘッド３８の下面３８１、即ちノズルが設けられている面と対向し、用紙７を接触させて案内する案内面３５１を有している。この案内面３５１は、印刷ヘッド３８下面３８１のノズルが設けられている領域より狭く形成され、用紙７の搬送方向における最上流側および最下流側に位置するノズルの幾つかはプラテン３５と対向していない。これにより、用紙７の先端及び後端を印刷する際に、用紙７の外側に吐出したインクがプラテン３５に付着することを防止し、その後搬送される用紙７の裏面が汚れることを防止している。すなわち、上流側端及び下流側端のノズルと対向する位置にはプラテン３５を設けることなく空間としている。そしてこの空間部分には、プラテン３５の案内面３５１より低い位置にインク受けを備え、不要なインクを回収してプリンタ内が汚れないようにしている。
【００５４】
用紙検知センサ４５は、搬送ローラ３７より搬送方向の上流側に設けられ、用紙７の搬送経路より高い位置に回動中心を持つレバー４５１とその上方に設けられ、発光部と受光部とを有する透過型光センサ４５２とを有している。レバー４５１は、自重によって搬送経路に垂れ下がるように配置され給紙トレー３２１から供給された用紙７によって回動される作用部４５３と、この作用部４５３と回動中心を挟んで反対側に位置し、発光部と受光部との間を通過するように設けられた遮光部４５４とで構成されている。そして、用紙検知センサ４５は、供給された用紙７によりレバー４５１が押され、用紙７が所定位置に達すると遮光部４５４は発光部が発した光を遮るため、用紙７が所定の位置に達したことが検出される。その後、搬送ローラ７により用紙７が搬送されて、用紙７の後端が通過すると、レバー４５１は自重によって垂れ下がり、遮光部４５４が発光部と受光部との間から外れ、発光部の光が受光部に受光され、用紙７の後端が所定の位置に到達することを検出する。したがって、遮光部４５４が発光部の光を遮っている間は、少なくとも搬送経路内に用紙７が存在することが検出される。
【００５５】
＝＝＝ノズルの構成について＝＝＝
図９は、印刷ヘッド３８の下面３８１におけるノズルの配列を示す説明図である。印刷ヘッド３８の下面３８１には、ブラックインクノズル列３３（Ｋ）と、シアンインクノズル列３３（Ｃ）と、マゼンタインクノズル列３３（Ｍ）と、イエローインクノズル列３３（Ｙ）が形成されている。各ノズル列３３は、各色のインクを吐出するための吐出口であるノズルを複数個（本実施形態では１０個）備えている。
【００５６】
各ノズル列３３の複数のノズルは、紙搬送方向に沿って、一定の間隔（ノズルピッチ：ｋ・Ｄ）でそれぞれ整列している。ここで、Ｄは、紙搬送方向における最小のドットピッチ（つまり、用紙３２に形成されるドットの最高解像度での間隔）であり、例えば、解像度が７２０ｄｐｉであれば１／７２０インチ（約３５．３μｍ）である。また、ｋは、１以上の整数である。
【００５７】
また、各ノズル列３３のノズルは、下流側のノズルほど小さい番号が付され、それぞれ第１ノズルＮ１〜第１０ノズルＮ１０とする。各ノズルには、各ノズルを駆動してインク滴を吐出させるための駆動素子としてピエゾ素子（不図示）が設けられている。
【００５８】
なお、印刷時には、用紙７が搬送ローラ３７及び排紙ローラ３９によって間欠的に所定の搬送量Ｆで搬送され、その間欠的な搬送の間に書込キャリッジ３６が走査方向に移動して各ノズルからインク滴が吐出される。
【００５９】
＝＝＝印刷ヘッドの駆動＝＝＝
次に、印刷ヘッド３８の駆動について、図１０を参照しつつ説明する。図１０は、ヘッドコントロールユニット６８（図１１）内に設けられた駆動信号発生部の構成を示すブロック図である。
【００６０】
図１０において、駆動信号発生部は、複数のマスク回路２０４と、原駆動信号発生部２０６と、駆動信号補正部２３０とを備えている。マスク回路２０４は、印刷ヘッド３８のノズルＮ１〜Ｎ１０をそれぞれ駆動するための複数のピエゾ素子に対応して設けられている。なお、図１０において、各信号名の最後に付されたかっこ内の数字は、その信号が供給されるノズルの番号を示している。原駆動信号発生部２０６は、ノズルＮ１〜Ｎ１０に共通に用いられる原駆動信号ＯＤＲＶを生成する。この原駆動信号ＯＤＲＶは、一画素分の主走査期間内に、第１パルスＷ１と第２パルスＷ２の２つのパルスを含む信号である。駆動信号補正部２３０は、マスク回路２０４が整形した駆動信号波形のタイミングを復路全体で前後にずらし、補正を行う。この駆動信号波形のタイミングの補正によって、往路と復路におけるインク滴の着弾位置のズレが補正される、すなわち、往路と復路におけるドットの形成位置のズレが補正される。
【００６１】
図１０に示すように、入力されたシリアル印刷信号ＰＲＴ（ｉ）は、原駆動信号発生部２０６から出力される原駆動信号ＯＤＲＶとともにマスク回路２０４に入力される。このシリアル印刷信号ＰＲＴ（ｉ）は、一画素当たり２ビットのシリアル信号であり、その各ビットは、第１パルスＷ１と第２パルスＷ２とにそれぞれ対応している。
【００６２】
そして、マスク回路２０４は、シリアル印刷信号ＰＲＴ（ｉ）のレベルに応じて原駆動信号ＯＤＲＶをマスクするためのゲートである。すなわち、マスク回路２０４は、シリアル印刷信号ＰＲＴ（ｉ）が１レベルのときには原駆動信号ＯＤＲＶの対応するパルスをそのまま通過させて駆動信号ＤＲＶとしてピエゾ素子に供給し、一方、シリアル印刷信号ＰＲＴ（ｉ）が０レベルのときには原駆動信号ＯＤＲＶの対応するパルスを遮断する。
【００６３】
＝＝＝制御回路５０の内部構造＝＝＝
図１１は、制御回路５０の一例を示すブロック図である。 
ＳＰＣ複合装置１の制御回路５０は、ＳＰＣ複合装置１全体の制御を司るＣＰＵ５４と、制御のためのプログラムを記憶したＲＯＭ５５と、スキャナ機能、プリント機能、ローカルコピー機能の各制御を司る制御ＡＳＩＣ５１と、ＣＰＵ５４から直接データを読み書き可能なＳＤＲＡＭ５６と、入力手段としての操作パネル部７０とがバスによって繋がっている。制御ＡＳＩＣ５１には、スキャナユニット１０、印刷ヘッド３８、および制御ＡＳＩＣ５１から直接データを読み書き可能なＡＳＩＣ用ＳＤＲＡＭ６９などが繋げられている。
【００６４】
制御ＡＳＩＣ５１は、スキャナコントロールユニット５８と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、外部のホストコンピュータ３との入出力手段としてのＵＳＢインターフェイス（以下、ＵＳＢＩＦという）５２と、スキャナ部１０及びプリンタ部３０が備える各モータやランプ等のドライバを備えている。また、制御ＡＳＩＣ用ＳＤＲＡＭ６９には、ラインバッファ６９１、インターレースバッファ６９２、イメージバッファ６９３がそれぞれ割り当てられている。制御ＡＳＩＣ５１とＡＳＩＣ用ＳＤＲＡＭ６９との間では、データ転送の高速化を図るためにデータの転送単位を６４ｂｉｔとする所謂バースト転送が行われる。
【００６５】
スキャナコントロールユニット５８は、スキャナ部１０が備える露光ランプ２２、ＣＣＤセンサ２８、読取キャリッジ駆動モータとしてのパルスモータ１８３等の各制御や、ＣＣＤセンサ２８を介して読み込んだデータを、ラインバッファ６９１を介して２値化処理ユニット６０に送出する機能を有する。
【００６６】
２値化処理ユニット６０は、送出された多階調のＲＧＢデータをＣＭＹＫの色毎の２値データ、またはＫのみの２値データのいずれかに変換し、インターレース処理ユニット６２に送出する機能を有する。このＲＧＢデータを、ＣＭＹＫの色毎の２値データまたはＫのみの２値データのいずれのデータに変換するかは、操作パネル部７０のコピーボタン操作によって入力された前記印刷モード情報に基づいて決定する。すなわち、このＲＧＢデータには、そのコピーボタン操作にて入力された印刷モード情報が付帯している。そして、この印刷モード情報がカラー印刷モードの場合には、ＲＧＢデータをＣＭＫＹの２値データに変換し、またモノクロ印刷モードの場合には、Ｋの２値データに変換する。
【００６７】
インターレース処理ユニット６２は、１ラスタライン（印刷画像における主走査方向の１ライン）を複数回の書込キャリッジ３６の走査にて印刷する所謂オーバーラップ印刷する際には、１ラスタラインのＣＭＹＫのデータを書込キャリッジ３６の走査毎に印刷するデータに振り分けてオーバーラップ印刷対応データ（以下、ＯＬ対応データという）を生成する機能を有する。生成されたＯＬ対応データは、ＡＳＩＣ用ＳＤＲＡＭ６９のインターレースバッファ６９２に記憶される。
【００６８】
また、インターレース処理ユニット６２では、インターレースバッファ６９２に記憶されたデータを、インターレース処理ユニット６２内のＳＲＡＭ６２１に所定のサイズ毎に読み出して、ＳＲＡＭ６２１上で、ノズル配列に対応させるべく並び替えてイメージバッファユニット６４に送出する機能を有する。 
イメージバッファユニット６４では、インターレース処理ユニット６２から送出されたデータを、書込キャリッジ３６の走査毎の各ノズルにインクを吐出させるためのヘッド駆動データを生成する機能を有する。
【００６９】
ＣＰＵＩＦユニット６６は、制御ＡＳＩＣ５１に接続された制御ＡＳＩＣ用ＳＤＲＡＭ６９へのＣＰＵ５４からのアクセスを可能とする機能を有している。本制御回路５０においては、イメージバッファユニット６４により生成されたヘッド駆動データに基づいてヘッドコントロールユニット６８を駆動する際に用いられる。 
ヘッドコントロールユニット６８は、ＣＰＵ５４の制御によりヘッド駆動データに基づいて印刷ヘッド３８を駆動しノズルからインクを吐出させる機能を有する。
【００７０】
＝＝＝制御回路５０内のデータの流れ＝＝＝
＜スキャナ機能時について＞
制御ＡＳＩＣ５１のＵＳＢＩＦ５２に接続されたホストコンピュータ３から、スキャナユニット１０による画像読み取り指令信号と、読み取り解像度、読み取り領域等の読み取り情報データとが制御回路５０に送信される。制御回路５０では、ＣＰＵ５４により画像読み取り指令信号と読み取り情報データとに基づいて、スキャナコントロールユニット５８が制御され、スキャナユニット１０による原稿５の読み取りが開始される。 
このとき、スキャナコントロールユニット５８では、ランプ駆動ユニット、ＣＣＤ駆動ユニット、読取キャリッジ走査駆動ユニット等が駆動され、所定の周期にてＣＣＤセンサ２８からＲＧＢデータが読み込まれる。読み込まれたＲＧＢデータは、ＡＳＩＣ用ＳＤＲＡＭ６９に割り振られたラインバッファ６９１に一旦蓄えられ、Ｒ、Ｇ、Ｂの各データのライン間補正処理が施され、ＵＳＢＩＦ５２を介してホストコンピュータ３に送出される。ライン間補正処理とは、スキャナ部１０の構造上発生するＲ、Ｇ、Ｂの各リニアセンサ間の読み取り位置のズレを補正する処理である。
【００７１】
詳述すると、スキャナユニット１０が有するＣＣＤセンサ２８は、カラーセンサでありＲ（レッド）、Ｇ（グリーン）、Ｂ（ブルー）の３色に対し色毎に１ラインずつのリニアセンサを有している。これら３本のリニアセンサは、読取キャリッジ１６の走査方向に平行に並べられているため、原稿５の同一ラインに照射された反射光を同時に受光することができない。すなわち、原稿５の同一ラインに照射された反射光が各リニアセンサに受光される際には、時間的なズレが生じることになる。このため、リニアセンサの配列に伴う遅延時間分だけ遅れて送られてくるデータを同期させるための処理である。
【００７２】
＜プリンタ機能時について＞
プリンタ機能時には、制御ＡＳＩＣ５１のＵＳＢＩＦ５２に接続されたホストコンピュータ３のプリンタドライバにて、印刷すべき画像データをＳＰＣ複合装置１のプリンタ部３０にて印刷することが可能なヘッド駆動データに変換されてＵＳＢＩＦ５２から入力される。このヘッド駆動データは、例えば、インターレース方式の印刷をする場合には、印刷解像度と書込キャリッジ３６のノズル列３３が有するノズルのピッチ及び数に対応させたラスタデータを抽出し、書込キャリッジ３６の走査毎に印刷する順に並び換え、印刷ヘッド３８を駆動するための信号となるデータである。なお、インターレース方式の印刷では、ノズルピッチ（ノズルの間隔）は、用紙に形成されるドットの間隔よりも広い。
【００７３】
ヘッド駆動データはＣＰＵ５４が直接読み取り可能なＳＤＲＡＭ５６に割り付けられたイメージバッファ５７に記憶される。イメージバッファ５７は書込キャリッジ３６の１回の走査により印刷するためのヘッド駆動データを記憶することができる容量を有するメモリ領域を２つ分備えている。そして、一方のイメージバッファ５７１に１回の走査分のデータが書き込まれると、ヘッドコントロールユニット６８に転送される。このとき、一方のイメージバッファ５７１のイメージデータがヘッドコントロールユニット６８に転送されると、他方のイメージバッファ５７２には次の走査の際に印刷するためのヘッド駆動データが記憶される。そして他方のイメージバッファ５７２に１回の走査分のデータが書き込まれると、ヘッドコントロールユニット６８に転送され、前記一方のイメージバッファ５７１にイメージデータが書き込まれる。このように、２つのイメージバッファ５７１，５７２を用いて、ヘッド駆動データの書き込み、読み出しを交互に行いながらヘッドコントロールユニット６８にて印刷ヘッド３８が駆動されて印刷が実行される。
【００７４】
＜コピー機能時について＞
次に、コピー機能時におけるデータの流れを説明する。ここでは、通常のコピー動作時のデータの流れのみを説明し、本実施形態の２アップ印刷方式については後述する。
【００７５】
スキャナユニット１０により読み込まれたデータは、スキャナコントロールユニット５８を介してラインバッファ６９１に取り込まれる。ラインバッファ６９１に取り込まれたＲＧＢデータは、前述したＲＧＢのライン間補正処理が順次施され、同一ラインに対するＲＧＢデータがスキャナコントロールユニット５８から２値化処理ユニット６０に送り込まれる。
【００７６】
２値化処理ユニット６０に送り込まれたＲＧＢデータは、ハーフトーン処理される。そして、その後、制御ＡＳＩＣ用ＳＤＲＡＭ６９内に格納されているルックアップテーブル（ＬＵＴ）６９５が参照されて、このＲＧＢデータが付帯する印刷モード情報に基づいて、ＣＭＹＫの色毎の２値データ、またはＫのみの２値データのいずれかに変換され、インターレース処理ユニット６２に送り込まれる。
【００７７】
インターレース処理ユニット６２に送り込まれた前記２値データは、指定されたインターレース方式に基づいて、各ラスタラインの全データから書込キャリッジ３６の１回の走査毎に印刷されるデータに振り分けられる。例えば、１ラスタラインを書込キャリッジ３６の２回の走査にて形成する場合には、ラスタラインの端から奇数番目のドットを形成するデータと、偶数番目のドットを形成するデータとに振り分けられてＯＬ対応データが生成される。このＯＬ対応データは、インターレースバッファ６９２に６４ｂｉｔずつバースト転送されて記憶される。
【００７８】
また、インターレース処理ユニット６２では、インターレースバッファ６９２に記憶されたデータを所定サイズ毎に読み出して、インターレース処理ユニット６２内のＳＲＡＭ６２１にバースト転送する。 
このとき、インターレースバッファ６９２からは、印刷解像度とノズルピッチとに基づいて印刷ヘッド３８のノズル配列に対応させてＯＬ対応データが読み出される。例えば、印刷解像度が７２０ｄｐｉであり、ノズルピッチが１／１８０ｉｎｃｈの場合には、隣接するノズルにて印刷した２本のラスタライン間に３本のラスタラインが印刷されることになる。このため、ＯＬ対応データからは３ラスタラインずつ間隔を空けたデータが書込キャリッジ３６の走査に対応したデータとして読み出されることになる。 
転送されたデータはＳＲＡＭ６２１上で、ノズル配列に対応させるべく並び替えられてイメージバッファユニット６４に送出される。
【００７９】
イメージバッファユニット６４では、ＳＲＡＭ６２１の容量により細かくブロック化された画像データをイメージバッファ６９３にバースト転送し、書込キャリッジ３６の走査毎の各ノズルにインクを吐出させるためのヘッド駆動データとなるように整列させて記憶する。ここでイメージバッファ６９３，６９４は、書込キャリッジ３６の２回の走査分のヘッド駆動データを記憶するメモリ領域が割り当てられており、１回の走査分のヘッド駆動データが蓄積される毎に、ＣＰＵ５４によりヘッドコントロールユニット６８に送出されると共に、残りの１回の走査分のメモリ領域に次の走査に対応したヘッド駆動データの書き込みが開始される。この処理は、プリンタ機能の説明にて前述したイメージバッファの処理と同様である。
【００８０】
イメージバッファ６９３，６９４に記憶された走査毎のヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。
【００８１】
＝＝＝本実施形態のＮアップ印刷方式＝＝＝
以下では、このＮアップ印刷を、２アップ印刷を例に説明する。 
図１２は、本実施形態の２アップ印刷方式（コピー方式）を説明するための図である。同図において、５Ａは第１原稿であり、表面に画像「Ａ」が表されている。また、５Ｂは第２原稿であり、表面に画像「Ｂ」が表されている。７はＳＰＣ複合装置１によって印刷された一枚の用紙である。この用紙７には、２アップ印刷によって、この用紙７の紙面を二等分してなる各印刷領域に、画像「Ａ」および画像「Ｂ」がそれぞれ印刷されている。すなわち、用紙７の左側にある１ページ目の印刷領域には、第１原稿５Ａから読み取った画像「Ａ」が、また右側にある２ページ目の印刷領域には、第２原稿５Ｂから読み取った画像「Ｂ」が印刷されている。なお、前述のページとは、一枚の用紙の紙面を等分割してなる各印刷領域のことを指し、例えば、２アップ印刷方式の場合には、左側の印刷領域を１ページ目、右側を２ページ目と言う。また、４アップ印刷方式の場合には、用紙７の紙面を４等分してなる各印刷領域のことであり、それぞれ１〜４ページ目と言う。
【００８２】
そして、本実施形態によれば、この一枚の用紙７に印刷する際に、１ページ目の画像「Ａ」と、その隣に並ぶ２ページ目の画像「Ｂ」との印刷モードを互いに独立に設定することができて、もって、画像「Ａ」および画像「Ｂ」のいずれか一方をモノクロ印刷し他方をカラー印刷することが可能となっている。すなわち、一枚の用紙７の所定位置に並べて印刷される各ページの画像を、ページ毎にモノクロ印刷またはカラー印刷のいずれかに設定できて、もって被印刷媒体への印刷表現の自由度を広げることができるようになっている。 
なお、本実施形態では、図１２に示される通り、用紙７の端部と画像との間には、余白が設けられている。さらに、画像間にも余白が設けられている。
【００８３】
＜２アップ印刷の処理動作について＞
図１３は、本実施形態の２アップ印刷の処理動作の手順を説明するためのフロー図である。同図は、ＳＰＣ複合装置１のスキャナ部１０と制御回路５０（又は操作パネル７０）とプリンタ部３０の動作の流れを表している。 
以下、図１２及び図１３を用いて、本実施形態の２アップ印刷方式について、説明する。なお、この２アップ印刷の処理動作手順に関するプログラムは、ＲＯＭ５５に格納されている。
【００８４】
まず、ユーザーは、ＳＰＣ複合装置１の給紙トレーに用紙７をセットする（Ｓ１２１）。以下の説明では、Ａ４サイズの単票状印刷用紙が複数枚セットされているものとする。なお、ユーザーは、操作パネル部７０の各種のボタンを操作し、用紙７に関する情報を入力しても良い。
【００８５】
次に、ユーザーは、操作パネル部７０の各種のボタンを操作し、複数の印刷方式の中から本実施形態の「２アップ印刷」を選択する（Ｓ１１１）。すなわち、まず、ユーザーは、メニューボタン９２によって表示される設定項目を順次切り替え、設定項目である「コピーモード」の表示画面にする。次に、ユーザーは、２つのボタン９０１，９０２を押すことによって、設定値を「２アップ印刷」に設定する。これにより、ＳＰＣ複合装置１の印刷方式が２アップ印刷方式に選択される。また、同様に、ユーザーは、操作パネル部７０の各種のボタンを操作し、余白の幅ｔの大きさを設定するこれにより、ＳＰＣ複合装置１は、余白に関する情報（余白情報）を取得する。ただし、操作パネル部７０によって余白の幅ｔを設定しない場合、余白の幅の設定値として、予め定められたデフォルト値が用いられる。本実施形態では、余白情報は、幅がｔ（ｍｍ）であることを示しているものとする。
【００８６】
次に、ユーザーは、ＳＰＣ複合装置１のスキャナ部１０に、１枚目の原稿として第１原稿５Ａをセットする（Ｓ１０１）。第１原稿５Ａのセットの様子を、図１４Ａを用いて説明する。まず、ユーザーは、原稿台カバー１４を開き、第１原稿５Ａを原稿台ガラス１２に載置する。ユーザーは、第１原稿５Ａを原稿台ガラス１２に載置するとき、画像「Ａ」が表された側を下面にし、原稿台ガラス１２の角にある原点マークに第１原稿５Ａの角を合わせる。そして、ユーザーは、原稿台カバー１４を閉め、原稿台ガラス１２上の第１原稿５Ａを原稿台カバー１４によって原稿台ガラス１２側に押圧させる。これにより、第１原稿５Ａがスキャナ部１０にセットされる。
【００８７】
次に、ユーザーは、１枚目の原稿５Ａの読み取り動作の開始を指示する。既に２アップ印刷を行うことが設定されているので（Ｓ１１１）、ユーザーが操作パネル部７０のカラーコピーボタン８４又はモノクロコピーボタン８６を押すことによって、読み取り動作が開始される（Ｓ１１２）。
【００８８】
なお、前述したように、このコピーボタン操作によって、この第１原稿５Ａから読み取った１ページ目の画像を用紙７に印刷する際の印刷モードが確定する。すなわち、モノクロコピーボタン８６が押されると、この第１原稿５Ａから読み取った後記読取データ（ＲＧＢデータ）には、そのコピーボタン操作によって入力されたモノクロ印刷モード情報が付帯され、逆にカラーコピーボタン８４が押されると、そのコピーボタン操作によって入力されたカラー印刷モード情報が付帯されるようになっている。ここでは、説明をわかりやすくするために、この第１原稿５Ａに対しては、モノクロ印刷をする目的でモノクロコピーボタン８６を押したものとする。
【００８９】
次に、ＳＰＣ複合装置のスキャナ部１０が、第１原稿５Ａの画像「Ａ」の読み取り動作を開始する（Ｓ１０２）。スキャナ部１０が原稿５Ａの画像「Ａ」を読み取っている間、所定の周期にてＣＣＤセンサから読取データ（ＲＧＢデータ）が出力されている。なお、本実施形態では、ＣＣＤセンサのリニアセンサは画像「Ａ」の横方向と平行に並んでおり、読取キャリッジ１６は画像「Ａ」の縦方向と平行に走査移動する（つまり、本実施形態では、図１２の第１原稿５Ａの画像「Ａ」は、上から下に向かってスキャナ部１０に読み取られる）。したがって、スキャナ部から出力される読取データは、画像「Ａ」の横方向のラインデータを順次出力したデータになる。
【００９０】
次に、ＳＰＣ複合装置の制御回路５０は、スキャナ部１０から順次送られてくる読取データに基づいて、ヘッド駆動データを作成する（Ｓ１１３ａ，Ｓ１１３ｂ，Ｓ１１３ｃ，Ｓ１１４ａ）。このとき作成されるヘッド駆動データは、図１２の用紙７における印刷画像「ＡＢ」のうちの画像「Ａ」の部分を印刷するためのデータである。このヘッド駆動データは、前記第１原稿５Ａの画像「Ａ」の読取データに付帯するモノクロ印刷モード情報に基づいて作成され、その結果として、このヘッド駆動データは、Ｋ（ブラック）のノズルのみを駆動するデータから構成されて、もって用紙７における画像「Ａ」の部分は、モノクロ印刷される。なお、読取データに基づいてヘッド駆動データを作成する処理については、後述する。作成されたヘッド駆動データは、ヘッドコントロールユニット６８に順次送られる。
【００９１】
本実施形態では、用紙７の短辺方向と平行に書込キャリッジ３６が走査移動し、用紙７の長辺方向に用紙７が搬送され、用紙７に印刷画像「ＡＢ」が印刷される（つまり、本実施形態では、図１２の用紙７の印刷画像「ＡＢ」は、左から右に向かって印刷される）。そのため、ヘッド駆動データは、画像「Ａ」の縦方向のラインデータを順次出力したデータになる。この結果、プリンタ部３０は、画像「Ｂ」のヘッド駆動データが作成される前であっても、画像「Ａ」の印刷を開始することが可能になる。そこで、本実施形態では、第２原稿の画像「Ｂ」の読み取りが終了する前に、既に第１原稿５Ａから読み取られた画像「Ａ」の印刷を開始している。
【００９２】
プリンタ部３０は、順次ヘッドコントロールユニット６８に送られてくるヘッド駆動データに基づいて、印刷を開始する（Ｓ１２２）。なお、画像「Ａ」に関するヘッド駆動データの作成が終了すれば（Ｓ１１４ｂ）、ヘッドコントロールユニット６８にヘッド駆動データが送られてこないので、プリンタ部３０は、印刷動作を停止し、印刷待機状態（用紙７の搬送動作やインクを吐出する印刷動作などの諸動作の待機状態）になる（Ｓ１２３）。
【００９３】
第１原稿５Ａの読み取り動作の終了後、ＳＰＣ複合装置１の液晶ディスプレイ７２は、ユーザーに原稿交換を促すメッセージを表示する。ユーザーは、そのメッセージを確認し、スキャナ部１０にセットされている第１原稿５Ａを第２原稿５Ｂに交換する。原稿の交換の様子を図１４Ｂを用いて説明する。まず、ユーザーは、原稿台カバー１４を開き、原稿台ガラス１２に載置されている第１原稿５Ａを取り出す。そして、ユーザーは、２枚目の原稿として第２原稿５Ｂをセットする。なお、第２原稿５Ｂのセットの手順は、前述の第１原稿５Ａのセットの手順と同様なので、説明を省略する。
【００９４】
なお、本実施形態では、第２原稿５Ｂの画像「Ｂ」の読み取りが開始される前に、印刷画像「ＡＢ」のうちの画像「Ａ」の印刷を開始している。そのため、本実施形態では原稿の交換動作の時には、排紙部３４から印刷画像の一部が既に排出されている（図１４Ｂ参照）。
【００９５】
ユーザーは、原稿交換後、２枚目の原稿５Ｂの読み取り動作の開始を指示する。２枚目の原稿５Ｂの読み取り動作も、ユーザーが操作パネル部７０のカラーコピーボタン８４又はモノクロコピーボタン８６を押すことによって、開始される（Ｓ１１５）。なお、前述の第１原稿５Ａの時と同様に、この第２原稿５Ｂに対するコピーボタン操作によって、この第２原稿５Ｂから読み取った２ページ目の画像を用紙７に印刷する際の印刷モードが確定する。すなわち、第１原稿５Ａとは独立に当該第２原稿５Ｂたる２ページ目の画像の印刷モードを設定可能となっている。ここでは、説明をわかりやすくするために、この第２原稿５Ｂに対してはカラーコピーボタン８４が押されて、この第２原稿５Ｂから読み取った後記読取データ（ＲＧＢデータ）にはカラー印刷モード情報が付帯されているものとする。
【００９６】
次に、ＳＰＣ複合装置１のスキャナ部１０が、第２原稿５Ｂの画像「Ｂ」の読み取り動作を開始する（Ｓ１０５）。スキャナ部１０が原稿５Ｂの画像「Ｂ」を読み取っている間、所定の周期にてＣＣＤセンサから読取データ（ＲＧＢデータ）が出力されている。
【００９７】
次に、ＳＰＣ複合装置の制御回路５０は、スキャナ部１０から順次送られてくる読取データに基づいて、ヘッド駆動データを作成する（Ｓ１１６ａ，Ｓ１１６ｂ，Ｓ１１６ｃ，Ｓ１１７ａ）。このとき作成されるヘッド駆動データは、図１２の用紙７における画像「Ｂ」の部分を印刷するためのデータである。このヘッド駆動データは、前記第２原稿５Ｂの画像「Ｂ」の読取データに付帯するカラー印刷モード情報に基づいて作成され、その結果として、このヘッド駆動データは、ＣＭＹＫの４色のノズルを駆動するデータから構成されて、もって用紙７における画像「Ｂ」の部分は、カラー印刷される。なお、読取データに基づいてヘッド駆動データを作成する処理については、後述する。作成されたヘッド駆動データは、ヘッドコントロールユニット６８に順次送られる。
【００９８】
プリンタ部３０は、順次ヘッドコントロールユニット６８に送られてくるヘッド駆動データに基づいて、印刷を再開する（Ｓ１２４）。つまり、プリンタ部３０は、画像「Ｂ」の読取動作が開始された後に、用紙７の間欠的な搬送を行う搬送動作や、走査方向に移動するノズルからインクを吐出する印刷動作などを再開する。
【００９９】
印刷が完了すれば（Ｓ１１７ｂ、Ｓ１２５）、用紙７が排紙部３４から排出される。排出された用紙７には、図１２の用紙７に示されたように、印刷画像「ＡＢ」が印刷されている。なお、この印刷画像「ＡＢ」のうちの画像「Ａ」の部分はモノクロ印刷されている一方、画像「Ｂ」の部分はカラー印刷されている。
【０１００】
第２原稿の読み取り動作が終了後、ＳＰＣ複合装置の液晶ディスプレイ７２は、ユーザーに第２原稿の取り出しを促すメッセージを表示する。ユーザーは、そのメッセージを確認し、スキャナ部１０にセットされている第２原稿５Ｂを取り出す。
【０１０１】
＜２アップ印刷時の制御回路５０内でのデータの流れについて＞
図１５は、２アップ印刷の際の制御回路５０の一例を示すブロック図である。前述の図１１では、書き込みと読み出しを交互に行うためにイメージバッファ５７１，５７２（又はイメージバッファ６９３，６９４）として２つのバッファが描かれていたが、図１５では説明の簡略化のため、書き込みと読み出しを交互に行うための２つのバッファは描かれていない。
【０１０２】
前述の図１１の制御回路５０と比べ、ハード構成は同じだが、ＣＰＵ５４が直接読み取り可能なＳＤＲＡＭ５６内のメモリ領域の割り当てなどが異なる。また、前述の図１１ではＣＰＵ５４はイメージバッファ６９４のみとアクセスしていたが、図１５では、ＣＰＵ５４は、ラインバッファ６９１およびインターレースバッファ６９２にもアクセスしている。また、インターレースバッファ６９２は、メモリ領域の割り当てが２つに分けられ、論理的に２つのバッファになっている。
【０１０３】
以下、図１５を用いて、２アップ印刷の際の制御回路５０内でのデータの流れについて、説明する。なお、この２アップ印刷の際の制御回路５０内でのデータの流れを制御するプログラムは、ＲＯＭ５５に格納されている。前述の説明では、１ラスタラインを書込キャリッジ３６の２回の走査にて形成していたが、説明の簡略化のため、１ラスタラインは書込キャリッジ３６の１回の走査にて形成されるものとする（つまり、奇数番目と偶数番目とにラスタラインのドットデータが振り分けられない状態で、以下に説明される）。
【０１０４】
（１）まず、１枚目の原稿（第１原稿５Ａ）から画像「Ａ」が読み取られ（Ｓ１０２）、印刷が開始されるまで（Ｓ１２２）の間の制御回路５０内でのデータの流れについて、説明する。
【０１０５】
ＣＰＵ５４は、操作パネル部７０から「２アップ印刷」の設定後にカラーコピーボタン８４又はモノクロコピーボタン８６の入力信号を受けて、スキャナコントロールユニット５８に制御信号を送信する。この制御信号には、このコピーボタン操作に基づく印刷モード情報が含まれており、この例にあってはモノクロコピーボタン８６が押されているため、モノクロ印刷モード情報が含まれている。ちなみに、このモノクロ印刷モード情報は、この次になされるコピーボタン操作までの間有効であり、すなわち、この間にスキャナ部１０にて生成される後記ＲＧＢデータは、このモノクロ印刷モード情報を付帯している。
【０１０６】
スキャナコントロールユニット５８は、ＣＰＵ５４からの前記制御信号に基づいて、スキャナ部１０を制御し、第１原稿５Ａから画像「Ａ」を読み取る動作を開始する。
【０１０７】
なお、第１原稿５Ａの画像「Ａ」は縮小されて用紙７に印刷されるので、スキャナコントロールユニット５８は、画像「Ａ」を等倍で読み取る場合と比較してデータを間引くようにして、第１原稿５Ａから画像「Ａ」を読み取る。すなわち、画像「Ａ」の横方向のデータは、ＣＣＤセンサのラインセンサからのデータを間引くことによって、縮小されている。この間引き処理は、スキャナコントロールユニット５８がラインセンサからの出力データを間引くことによって、行われる。また、画像「Ａ」の縦方向のデータは、読取キャリッジの走査速度を速めることによって、縮小されている。この処理は、スキャナコントロールユニット５８が読取キャリッジの走査速度を速めるように制御することによって、行われる。このように、縦横の画像「Ａ」のデータが間引かれることによって、実質的に画像「Ａ」が縮小されて読み取られる。
【０１０８】
スキャナコントロールユニット５８は、スキャナ部１０を制御し、所定の周期にてＣＣＤセンサから出力されるＲＧＢデータをラインバッファ６９１に取り込む。そして、スキャナコントロールユニット５８は、ラインバッファ６９１に一旦取り込まれたＲＧＢデータに対してＲＧＢのライン間補正処理（前述）し、同一ラインに対するＲＧＢデータを２値化処理ユニット６０に送り込む。
【０１０９】
２値化処理ユニット６０は、送り込まれたＲＧＢデータをハーフトーン処理する。そして、２値化処理ユニット６０は、制御ＡＳＩＣ用ＳＤＲＡＭ６９内に格納されているルックアップテーブル（ＬＵＴ）６９５を参照し、ハーフトーン処理されたデータを、ＣＭＹＫの色毎の２値データ、またはＫ（ブラック）のみの２値データのいずれかに変換する。なお、この２値データへの変換は、前記印刷モード情報に基づいてなされ、例えば、この例では、前記ＲＧＢデータは、モノクロ印刷モード情報を付帯しているため、Ｋ（ブラック）のみの２値データに変換される。２値化ユニット６０は、このＫのみの２値データをインターレース処理ユニット６２に送り込む。
【０１１０】
インターレース処理ユニット６２は、２値化処理ユニット６０から送り込まれたＫのみの２値データを、２つに分けられたインターレースバッファのうちの一方のインターレースバッファ（第１インターレースバッファ６９２Ａという）に取り込む。そして、第１インターレースバッファ６９２Ａに取り込まれた２値データは、ＣＰＵインターフェイスユニット６６を介して、ＣＰＵ５４が直接読み取り可能なＳＤＲＡＭ５６内のレイアウトバッファ５７３に送り込まれる。
【０１１１】
レイアウトバッファ５７３は、ＳＤＲＡＭ内に割り当てられたバッファであり、論理的に２つの領域に分けられている。２つの領域のうちの一方のレイアウトバッファ（第１レイアウトバッファ）５７３Ａには、第１インターレースバッファ６９２Ａから送り込まれた２値データが取り込まれる。他方のレイアウトバッファ（第２レイアウトバッファ（中間バッファとも言う））５７３Ｂには、以下に説明される通り、第１レイアウトバッファ５７３Ａの２値データに基づいて作成されたレイアウトイメージデータが記憶される。
【０１１２】
図１６は、第１レイアウトバッファ５７３Ａに送り込まれる２値データの概念図である。この２値データは、連続するメモリ領域に記憶されているが、画像の幅で折り返して並べれば、同図に示される通りの画像情報になる（この説明では、説明の簡略化のため、１ラスタラインは書込キャリッジ３６の１回の走査にて形成されるものとしているので、画像情報は１つになる）。
【０１１３】
ＣＰＵ５４は、第１レイアウトバッファ５７３Ａに取り込まれた２値データに基づいて、レイアウトイメージデータを作成する。ただし、作成されたレイアウトイメージデータを記憶する第２レイアウトバッファ５７３Ｂには、用紙の横幅分のラインデータを数ライン分しか記憶できる領域しか割り当てられていない。したがって、ＣＰＵ５４は、ライン状のレイアウトイメージデータを作成し、作成されたレイアウトイメージデータを第２レイアウトバッファ５７３Ｂに送り込む。そして、第２レイアウトバッファ５７３Ｂに送り込まれた数ライン分のレイアウトイメージデータは、順次制御ＡＳＩＣ用ＳＲＡＭ６９内の第２インターレースバッファ６９２Ｂに送り込まれる。
【０１１４】
本実施形態では、スキャナ部から出力される読取データは、画像「Ａ」の横方向のラインデータを順次出力したデータになる。そのため、第１レイアウトバッファには、画像「Ａ」の横方向の２値データが順次送り込まれてくる。一方、ヘッド駆動データは、画像「Ａ」の縦方向のラインデータを順次出力したデータにする必要がある。そこで、本実施形態では、第１レイアウトバッファ５７３Ａは画像「Ａ」のデータを一旦全て取り込み、ＣＰＵ５４が第２レイアウトバッファにレイアウトイメージデータを作成する際に、画像「Ａ」のデータを回転処理し、画像「Ａ」の縦方向のラインデータ（回転されたデータ）を順次作成することにしている。この結果、第２レイアウトバッファ５７３Ｂから第２インターレースバッファ６９２Ｂに順次送り込まれるデータが画像「Ａ」の縦方向のラインデータになるので、このデータに基づいて、画像「Ａ」の縦方向のヘッド駆動データが順次作成可能になる。
【０１１５】
図１７Ａ〜図１７Ｇは、第２レイアウトバッファ５７３Ｂに送り込まれるレイアウトイメージデータの概念図である。レイアウトイメージデータは、連続するメモリ領域に記憶されているが、用紙の幅で折り返して並べれば、同図に示される通り、縦方向に数ライン分のレイアウトイメージ（印刷画像の一部）になる。
【０１１６】
レイアウトイメージデータの作成は、以下のように行われる。まず、ＣＰＵ５４は、紙の上端から画像までの間の余白（画像「Ａ」の左側の余白）に相当するイメージデータを作成するため、余白分のＮｕｌｌデータを作成する（図１７Ａ、図１７Ｂ）。余白幅分のＮｕｌｌデータが作成された後、ＣＰＵ５４は、第１レイアウトバッファ５７３Ａに取り込まれた画像「Ａ」の縦方向のラインデータ（２値データ）を順次配列したレイアウトイメージを作成する（図１７Ｂ）。ただし、画像「Ａ」の縦方向のラインデータを配列する際、ＣＰＵ５４は、用紙の側端から画像までの間に余白幅分のＮｕｌｌデータを挿入する。これにより、レイアウトイメージに横方向の余白（画像「Ａ」の上下の余白）が作成される。画像「Ａ」の縦方向のラインデータの作成は、画像「Ａ」の横方向の領域分だけ行われる（図１７Ｂ〜図１７Ｆ）。画像「Ａ」の領域分のレイアウトイメージの作成が終わると、ＣＰＵ５４は、画像と画像との間の余白分のイメージデータを作成するため、再び余白分のＮｕｌｌデータを作成する（図１７Ｆ、図１７Ｇ）。これにより、レイアウトイメージに縦方向の余白（画像「Ａ」の右側の余白）が作成される。なお、上記のように随時作成されるレイアウトイメージデータは、順次制御ＡＳＩＣ用ＳＲＡＭ６９内の第２インターレースバッファ６９２Ｂに送り込まれる。なお、第２インターレースバッファ６９２Ｂに送り込まれるレイアウトイメージデータは、前述のＫのみの２値データである。
【０１１７】
第２レイアウトバッファ５７３Ｂから第２インターレースバッファ６９２Ｂに２値データ（レイアウトイメージデータ）が送り込まれた後の処理は、前述のコピー機能時の処理とほぼ同様である。すなわち、以下のような処理が行われる（但し、説明の簡略化のため、書き込みと読み出しを交互に行う処理に関しては説明を省略する）。
【０１１８】
インターレース処理ユニット６２では、第２インターレースバッファ６９２Ｂに記憶されたデータを所定サイズ毎に読み出して、インターレース処理ユニット６２内のＳＲＡＭ６２１にバースト転送する。 
このとき、インターレースバッファ６９２からは、印刷解像度とノズルピッチとに基づいて印刷ヘッド３８のノズル配列に対応させて２値データが読み出される。例えば、印刷解像度が７２０ｄｐｉであり、ノズルピッチが１／１８０ｉｎｃｈの場合には、隣接するノズルにて印刷した２本のラスタライン間に３本のラスタラインが印刷されることになる。このため、２値データからは３ラスタラインずつ間隔を空けたデータが書込キャリッジ３６の走査に対応したデータとして読み出されることになる。 
転送されたデータはＳＲＡＭ６２１上で、ノズル配列に対応させるべく並び替えられてイメージバッファユニット６４に送出される。
【０１１９】
イメージバッファユニット６４では、ＳＲＡＭ６２１の容量により細かくブロック化された画像データをイメージバッファ６９３にバースト転送し、書込キャリッジ３６の走査毎の各ノズルにインクを吐出させるためのヘッド駆動データとなるように整列させて記憶する。
【０１２０】
イメージバッファ６９３，６９４に記憶された走査毎のヘッド駆動データは、ＣＰＵ５４に制御されてＣＰＵＩＦユニット６６を介してＣＰＵ５４に読み込まれ、ＣＰＵ５４によりヘッドコントロールユニット６８に転送される。ヘッドコントロールユニット６８によりヘッド駆動データに基づいて印刷ヘッド３８が駆動され画像が印刷される。ここで、このヘッド駆動データは、Ｋのみの２値データから形成されたものであるため、印刷ヘッド３８のうちのＫ（ブラック）ノズルのみを駆動し、もってＫノズルのみからブラックのインク滴が吐出される。そして、これにより、本実施形態では、図１２に示されるように用紙７に画像「Ａ」を配置しつつ、この画像「Ａ」の部分をモノクロ印刷可能となっている。
【０１２１】
（２）次に、印刷が開始されてから（Ｓ１２２）、印刷待機状態（Ｓ１２３）までの間の制御回路５０内でのデータの流れについて、説明する。
【０１２２】
図１８は、２枚目の原稿（第２原稿）の画像「Ｂ」を読み取る前の印刷時の様子の説明図である。既に説明された通り、画像「Ａ」（及びその周辺の余白部分）のヘッド駆動データが、イメージバッファに順次蓄積される。１回の走査分のヘッド駆動データが蓄積されると、ＣＰＵ５４によりヘッドコントロールユニット６８に蓄積されたヘッド駆動データが送り出される。そして、ヘッドが走査方向に移動するとき、ヘッド駆動データに応じて、ヘッドのノズルからインク滴が吐出される。したがって、同図において、パス１（１回目の走査移動のこと）からパス８までに必要なヘッド駆動データは、１枚目の原稿（第１原稿）の画像「Ａ」を読み取った後、順次ヘッドコントロールユニット６８に送り出すことができる。
【０１２３】
一方、パス９（９回目の走査移動のこと）の際に必要とされるヘッド駆動データには、第２原稿の画像「Ｂ」のヘッド駆動データが必要とされる。つまり、第２原稿の画像「Ｂ」の読み取りを行っていなければ、パス９の際に必要なヘッド駆動データ（複数のノズルに対応するデータ）がイメージバッファ６９３に蓄積されないので（ヘッド駆動データが揃わないので）、パス９のヘッドの駆動を行うことができない。その結果、第２原稿の画像「Ｂ」のヘッド駆動データの作成前には、プリンタ部はパス９の位置の画像を印刷することができない。
【０１２４】
そこで、本実施形態では、パス８（８回目の走査移動）の印刷を終えたところで、書込キャリッジ３６の走査移動を停止して、印刷待機状態にしている。つまり、パス９以降に印刷される部分については、まだ印刷が完了していない。そのため、本実施形態では、用紙に印刷される第１原稿の画像「Ａ」の一部（画像「Ａ」の右側）は、印刷途中のままで待機状態になる。
【０１２５】
なお、本実施形態では、待機状態の時にクリアボタン８２が押されて印刷中止の指令があった場合、ＳＰＣ複合装置１は、第１原稿の画像「Ａ」の印刷を完了させてから、用紙７を排出し、印刷を中止する。待機状態の時にそのまま用紙７を排出すると、画像「Ａ」が途切れた状態になるからである。
【０１２６】
（３）最後に、２枚目の原稿（第２原稿）がセットされてから印刷が完了するまでの間の制御回路５０内でのデータの流れについて、説明する。 
ＣＰＵ５４は、第１原稿５Ａの読み取り動作終了後、液晶ディスプレイ７２に原稿交換のメッセージを表示させる。原稿の交換が行われた後、ＣＰＵ５４は、カラーコピーボタン８４又はモノクロコピーボタン８６の入力信号を受けて、スキャナコントロールユニット５８に制御信号を送信する。この制御信号にも、このコピーボタン操作に基づく印刷モード情報が含まれている。すなわち、この例にあっては、前述したようにカラーコピーボタン８４が押されているため、カラー印刷モード情報が含まれている。ちなみに、このカラー印刷モード情報は、この次になされるコピーボタン操作までの間有効であり、すなわち、この間にスキャナ部１０にて生成される後記ＲＧＢデータは、このカラー印刷モード情報を付帯している。
【０１２７】
スキャナコントロールユニット５８は、ＣＰＵ５４からの前記制御信号に基づいて、スキャナ部１０を制御し、第２原稿５Ｂから画像「Ｂ」を読み取る動作を開始する。 
スキャナコントロールユニット５８は、スキャナ部１０を制御し、所定の周期にてＣＣＤセンサから出力されるＲＧＢデータをラインバッファ６９１に取り込む。そして、スキャナコントロールユニット５８は、ラインバッファ６９１に一旦取り込まれたＲＧＢデータに対してＲＧＢのライン間補正処理（前述）し、同一ラインに対するＲＧＢデータを２値化処理ユニット６０に送り込む。
【０１２８】
２値化処理ユニット６０は、送り込まれたＲＧＢデータをハーフトーン処理する。そして、２値化処理ユニット６０は、制御ＡＳＩＣ用ＳＤＲＡＭ６９内に格納されているルックアップテーブル（ＬＵＴ）６９５を参照し、ハーフトーン処理されたデータを、ＣＭＹＫの色毎の２値データ、またはＫ（ブラック）のみの２値データのいずれかに変換する。なお、この２値データへの変換は、前記印刷モード情報に基づいてなされ、例えば、この例では、前記ＲＧＢデータは、カラー印刷モード情報を付帯しているため、ＣＭＹＫの色毎の２値データに変換される。２値化ユニット６０は、このＣＭＹＫの色毎の２値データをインターレース処理ユニット６２に送り込む。
【０１２９】
インターレース処理ユニット６２は、２値化処理ユニット６０から送り込まれたＣＭＹＫの色毎の２値データを、第１インターレースバッファ６９２Ａに取り込む。そして、第１インターレースバッファ６９２Ａに取り込まれた２値データは、ＣＰＵインターフェイスユニット６６を介して、ＣＰＵ５４が直接読み取り可能なＳＤＲＡＭ５６内の第１レイアウトバッファ５７３Ａに送り込まれる。
【０１３０】
ＣＰＵ５４は、第１レイアウトバッファ５７３Ａに取り込まれた２値データに基づいて、ライン状のレイアウトイメージデータを作成する。ＣＰＵ５４は、作成されたレイアウトイメージデータを第２レイアウトバッファ５７３Ｂに送り込む。そして、第２レイアウトバッファ５７３Ｂに送り込まれた数ライン分のレイアウトイメージデータは、順次制御ＡＳＩＣ用ＳＲＡＭ６９内の第２インターレースバッファ６９２Ｂに送り込まれる。なお、第２インターレースバッファ６９２Ｂに送り込まれるレイアウトイメージデータは、前述のＣＭＹＫの色毎の２値データである。
【０１３１】
インターレース処理ユニット６２では、第２インターレースバッファ６９２Ｂに記憶されたデータを所定サイズ毎に読み出して、インターレース処理ユニット６２内のＳＲＡＭ６２１にバースト転送する。 
このとき、インターレースバッファ６９２からは、印刷解像度とノズルピッチとに基づいて印刷ヘッド３８のノズル配列に対応させて２値データが読み出される。例えば、印刷解像度が７２０ｄｐｉであり、ノズルピッチが１／１８０ｉｎｃｈの場合には、隣接するノズルにて印刷した２本のラスタライン間に３本のラスタラインが印刷されることになる。このため、２値データからは３ラスタラインずつ間隔を空けたデータが書込キャリッジ３６の走査に対応したデータとして読み出されることになる。 
転送されたデータはＳＲＡＭ６２１上で、ノズル配列に対応させるべく並び替えられてイメージバッファユニット６４に送出される。
【０１３２】
イメージバッファユニット６４では、ＳＲＡＭ６２１の容量により細かくブロック化された画像データをイメージバッファ６９３にバースト転送し、書込キャリッジ３６の走査毎の各ノズルにインクを吐出させるためのヘッド駆動データとなるように整列させて記憶する。
【０１３３】
そして、イメージバッファには、画像「Ｂ」（及びその周辺の余白部分）のヘッド駆動データが、順次蓄積される。１回の走査分のヘッド駆動データが蓄積されると、ＣＰＵ５４によりヘッドコントロールユニット６８に蓄積されたヘッド駆動データが送り出される。そして、ヘッドが走査方向に移動するとき、ヘッド駆動データに応じて、ヘッドのノズルからインク滴が吐出される。ここで、このヘッド駆動データは、ＣＭＹＫの色毎の２値データから形成されたものであるため、印刷ヘッド３８のＣＭＹＫの各ノズルを駆動し、もってＣＭＹＫの各ノズルからインク滴が吐出される。そして、これにより、本実施形態では、図１２に示されるように用紙７に画像「Ｂ」を配置しつつ、この画像「Ｂ」の部分をカラー印刷可能となっている。
【０１３４】
なお、本実施形態では、パス９（図１８参照）の画像「Ａ」のヘッド駆動データ（画像「Ａ」の右側の部分のヘッド駆動データ）は、画像「Ｂ」のヘッド駆動データが作成されるまで蓄積されない（揃わない）ので、ヘッドコントロールユニット６８に送り出されない。このため、パス９の画像「Ａ」のヘッド駆動データは、画像「Ｂ」のヘッド駆動データが作成されるまで（つまり、画像「Ｂ」の読取動作が開始されるまで）、イメージバッファに残存している。そして、画像「Ｂ」の読取動作が開始された後、画像「Ａ」のヘッド駆動データが残存しているイメージバッファに画像「Ｂ」の左側の部分のヘッド駆動データが蓄積される。パス９の走査分のヘッド駆動データがイメージバッファに蓄積されると、ＣＰＵ５４によりヘッドコントロールユニット６８に蓄積された駆動データが送り出され、印刷が再開される（つまり、プリンタ部３０は、画像「Ｂ」のヘッド駆動データが作成された後に、用紙７の間欠的な搬送を行う搬送動作や、走査方向に移動するノズルからインクを吐出する印刷動作などを再開する）。したがって、パス９におけるヘッドの駆動データは、画像「Ａ」と画像「Ｂ」とに基づいて作成されたヘッド駆動データである。このため、パス９においては、画像「Ａ」の右側の一部と、画像「Ｂ」の左側の一部とが同時に印刷されることになる。
【０１３５】
なお、このパス９のヘッド駆動データを印刷モードの点から見てみると、このヘッド駆動データは、Ｋのみの２値データから構成される部分と、ＣＭＹＫの色毎の２値データから構成される部分とから構成されている。すなわち、前記画像「Ａ」の右側の一部に対応するヘッド駆動データの部分は、Ｋのみの２値データから形成されたＫノズルのみを駆動するデータとなっている一方で、前記画像「Ｂ」の左側の一部に対応するヘッド駆動データの部分は、ＣＭＹＫの色毎の２値データから形成されたＣＭＹＫの各ノズルを駆動するデータとなっている。そして、これによって、このパス９においては、画像「Ａ」の右側の一部は、Ｋのノズルからのみインク滴が吐出され、画像「Ｂ」の左側の一部は、ＣＭＹＫのノズルからインク滴が吐出され、もって画像「Ａ」と「Ｂ」とに跨った走査パスに内においても、印刷モードを区分した印刷が可能となっている。
【０１３６】
以上説明してきた処理を通して、本実施形態では、図１２に示されるように用紙７に印刷画像「ＡＢ」を配置ししつつ、このうちの画像「Ａ」の部分はモノクロ印刷する一方で、画像「Ｂ」の部分はカラー印刷することが可能になっている。
【０１３７】
＝＝＝コンピュータシステム等の構成＝＝＝
次に、コンピュータシステムの実施形態について、図面を参照しながら説明する。 
図１９は、コンピュータシステムの外観構成を示した説明図である。 
コンピュータシステム１０００は、コンピュータ本体１１０２と、表示装置１１０４と、ＳＰＣ複合装置１１０６と、入力装置１１０８と、読取装置１１１０とを備えている。前記ＳＰＣ複合装置１１０６には、上記に説明したものが用いられているが、本実施形態にあっては、プリンタ機能を奏する単なるインクジェットプリンタとして機能し、以下ではプリンタ１１０６と言う。また、表示装置１１０４は、ＣＲＴ（Cathode Ray Tube：陰極線管）やプラズマディスプレイや液晶表示装置等が用いられるのが一般的であるが、これに限られるものではない。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Magnet Optical）ディスクドライブ装置やＤＶＤ（Digital Versatile Disk）等の他のものであっても良い。
【０１３８】
図２０は、図１９に示したコンピュータシステムの構成を示すブロック図である。コンピュータ本体１１０２が収納された筐体内にＲＡＭ等の内部メモリ１２０２と、ハードディスクドライブユニット１２０４等の外部メモリがさらに設けられている。
【０１３９】
そして、このコンピュータシステムの構成によれば、スキャナで原稿を読み取らずに、前記ハードディスクドライブユニット１２０４に格納されたＲＧＢの画像データに基づいてＮアップ印刷を行うことができる。すなわち、コンピュータ本体１１０２には、プリンタドライバのプログラムが実装されており、このプリンタドライバによって、前記ハードディスクドライブユニット１２０４から取得したＲＧＢの画像データを、プリンタ１１０６にて印刷することが可能なヘッド駆動データに変換してプリンタ１１０６に出力可能となっている。そして、このプリンタドライバには、そのユーティリティアイテムのひとつとして、Ｎアップ印刷が実行可能に用意されており、もって、ユーザは、表示画面に表示されたプリンタドライバ用操作画面を見ながら、自身が指定した通りのＮアップ印刷を行うことができる。例えば、ユーザは、前記操作画面を見ながら、マウスなどを操作して「２アップ印刷」を選択するとともに、操作画面上において、用紙紙面の各ページ（印刷領域）に印刷すべき画像データを一つずつ対応させて設定する。すると、このプリンタドライバは、これら２つの画像データに対して、ハーフトーン処理や２値化処理等を順次行って、一つのヘッド駆動データを生成する。そして、このヘッド駆動データを、前記ＵＳＢＩＦ５２を介してプリンタ１１０６に送信し、プリンタ１１０６は、このヘッド駆動データに基づいて印刷ヘッドを駆動し、その結果、用紙紙面を二等分してなる各ページには、前記２つの画像がそれぞれ印刷される。
【０１４０】
なお、以上説明してきたプリンタドライバの機能は、通常のプリンタドライバが奏するものである。 
ここで、本実施形態に係るプリンタドライバにあっては、前記操作画面上において各ページに各画像データを設定する際に、画像データ毎に印刷モードを指定するためのコマンドが用意されている。そして、この指定がなされると、前記２値化処理の際に、プリンタドライバは、各画像データの印刷モードに基づいて２値化処理を行うようになっている。すなわち、その画像データにモノクロ印刷モードが指定されている場合は、ＲＧＢの画像データをＫのみの２値データに変換し、またカラー印刷モードが指定されている場合には、ＣＭＹＫの２値データに変換する。そして、これら２値データに基づいて前述の一つのヘッド駆動データを生成し、これによって、２アップ印刷において各ページの画像の印刷モードを異ならせた印刷が可能となっている。
【０１４１】
なお、以上の説明においては、ＳＰＣ複合装置１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とＳＰＣ複合装置１１０６から構成されても良く、コンピュータシステムが表示装置１１０４、入力装置１１０８及び読取装置１１１０のいずれかを備えていなくても良い。 
このようにして実現されたコンピュータシステムは、システム全体として従来システムよりも優れたシステムとなる。
【０１４２】
＝＝＝その他の実施の形態＝＝＝
上記の実施形態は、主としてＳＰＣ複合装置等について記載されているが、その中には、印刷装置、印刷方法、コンピュータシステム、およびコンピュータプログラムの開示が含まれていることは言うまでもない。
【０１４３】
また、一実施形態としてのＳＰＣ複合装置等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１４４】
＜原稿数やページ数について＞
前述の実施形態によれば、２枚の原稿から２ページ分の画像を読み取るとともに、これら各ページの画像の印刷モードを互いに独立に設定して一枚の用紙に印刷していた。しかし、原稿数や、一枚の用紙に設定されるページ数は、２つに限られるものではない。例えば、図２１に示す説明図のような４アップ印刷の場合にも適用可能である。すなわち、図２１においては、４枚の原稿からそれぞれに１ページ分の画像を合計４回の読み取り動作によって取得し、各画像を用紙７の各ページにそれぞれ印刷している。そして、この４アップ印刷においても、前述の２アップ印刷と同様に、各原稿の読み取り動作を行う度に、前述のコピーボタン操作を行うことによって、読み取った各ページの画像のそれぞれに対して印刷モードを設定するようになっている。
【０１４５】
但し、印刷の開始タイミングが異なることと、画像の回転処理が不要な点で前記２アップ印刷とは相違する。すなわち、４アップ印刷では、１枚目の原稿（第１原稿）の画像「Ａ」を読み取った後、その２値データが、ＣＰＵ５４側の第１レイアウトイメージバッファ５７３Ａに送り込まれる。その後、直ぐには印刷は開始されずに、２枚目の原稿（第２原稿）の画像「Ｂ」を読み取る。画像「Ｂ」の２値データは、ＣＰＵ５４側の第１レイアウトイメージバッファ５７３Ａに送り込まれる。 
なお、前述の実施形態と比較して、それぞれの画像は縮小されてデータ量が小さいので、第１レイアウトイメージバッファ５７３Ａは、画像「Ａ」と画像「Ｂ」の両方のデータを記憶することができる。そして、ＣＰＵは、第１レイアウトイメージバッファ５７３Ａの２つの画像のデータに基づいて、ライン状のレイアウトイメージデータを第２レイアウトイメージバッファ５７３Ｂに作成する。本実施形態では、前述の実施形態と比較して、レイアウトイメージデータを作成するときに画像を回転させる必要はない。その後のデータの流れは、前述の実施形態とほぼ同様である。 
また、本実施形態では、画像「Ａ」の下側の部分と画像「Ｂ」の下側の部分の印刷が完了する前に、印刷待機状態になる。そして、３枚目の原稿の画像「Ｃ」と４枚目の原稿の画像「Ｄ」の読み取り動作が終了したところで、印刷が再開される。
【０１４６】
＜印刷モードについて＞
前述の実施形態に係る印刷モードは、一枚の用紙に並べて印刷される各ページの画像を、モノクロまたはカラーのいずれにより印刷するかを規定するものとして定義されていたが、この印刷モードは、画像の印刷仕様を規定するパラメータであればこれに限るものではない。例えば、この印刷モードとして、画像の印刷解像度を規定する前記品質モードを用いても良い。すなわち、各原稿に対して読み取り動作を行う度に、その原稿に対応するページの画像の品質モードを前記操作パネル部７０から入力するようにして、ページ毎に印刷解像度を異ならせて設定できるようにしても良い。 
そして、この構成によれば、前記各ページの画像の印刷解像度を、ページ毎に変更して印刷することができて、もって用紙への印刷表現の自由度を広げることができる。
【０１４７】
＜被印刷媒体について＞
前述の実施形態に係る被印刷媒体は、一枚の用紙であったが、所定位置に、前記複数のページの画像を並べて印刷可能な単数のものであれば、これに限るものではない。例えば、一枚の布やフィルム等でも良く、更には一個の缶等といった立体形状のものでも構わない。
【０１４８】
＜１ページに対応する画像データついて＞
前述の実施形態に係る、１ページに対応する画像データは、スキャナ部１０によって読み取られた原稿１枚分の読取データであったが、この画像データは、一枚の用紙の紙面を等分割してなる各印刷領域に対して、所定の画像を印刷可能なものであれば、これに限るものではない。例えば、この画像データの概念には、１ページ分の文書を印刷可能なテキストデータ（文字情報のみで構成された文書データ）も含まれる。
【０１４９】
＜画像データの取得方法について＞
前述の実施形態にあっては、スキャナ部１０から原稿を読み取ってＲＧＢの画像データ（読取データ）を取得したが、画像データの取得方法はこれに限るものではない。例えば、前記ＳＰＣ複合装置１に、メモリーカード等の記録媒体から画像データを読み取るためのデータ読み取り部を設けて、この読み取ったＮヶの画像データに基づいてＮアップ印刷をするようにしても良い。
【０１５０】
＜ノズルについて＞
前述の実施形態では、圧電素子を用いてインクを吐出していたが、液体を吐出する方式は、これに限られるものではない。例えば、熱によりノズル内に泡を発生させる方式など、他の方式を用いても良い。
【符号の説明】
【０１５１】
１  ＳＰＣ複合装置、    ３  ホストコンピュータ、  ５  原稿、
７  用紙、              １０  スキャナ部、        １２  原稿台ガラス、
１４  原稿台カバー、    １６  読取キャリッジ、    １８  駆動手段、
１８１  タイミングベルト、    １８２  プーリ、    １８３  パルスモータ、
１８４  アイドラプーリー、    ２０  規制ガイド、  ２２  露光ランプ、
２４  レンズ、          ２６  ミラー、          ２８  ＣＣＤセンサ、
２９  ガイド受け部、    ３０  プリンタ部、      ３０１  開口、
３１  ギア列、          ３２  用紙供給部、      ３３  ノズル列、
３４  排紙部、          ３４１  排紙トレー、    ３５  プラテン、
３６  書込キャリッジ、  ３７  搬送ローラ、      ３８  印刷ヘッド、
３９  排紙ローラ、      ３９１  従動ローラ、    ４０  キャリッジモータ、
４１  ヒンジ機構、      ４２  紙送りモータ（ＰＦモータ）、
４５  用紙検出センサ、  ４５１  レバー、    ４５２  透過型光センサ、
４５３  作用部、        ４５４  遮光部、    ４６  リニア式エンコーダ、
４６１  リニア式エンコーダ用符号板、        ４７  ロータリ式エンコーダ、
４８  プーリ、          ４９  タイミングベルト、  ５０  制御回路、
５１  制御用ＡＳＩＣ、５４  ＣＰＵ、        ５５  ＲＯＭ、
５６  ＳＤＲＡＭ、    ５８  スキャナコントロールユニット、
６０  ２値化処理ユニット、  ６２  インターレース処理ユニット、
６４  イメージバッファユニット、
６６  ＣＰＵインターフェイスユニット（ＣＰＵＩＦユニット）、
６８  ヘッドコントロールユニット、          ６９  ＡＳＩＣ用ＳＤＲＡＭ、
６９１  ラインバッファ、    ６９２  インターレースバッファ、
６９３  イメージバッファ、  ７０  操作パネル部、
７２  液晶ディスプレイ、    ７４  報知ランプ、
７６  電源ボタン、          ７８  スキャンスタートボタン、
８０  設定表示ボタン、      ８２  クリアボタン、
８４  カラーコピーボタン、  ８６  モノクロコピーボタン、
８８  ストップボタン、      ９０  コピー枚数設定ボタン、
９２  メニューボタン
【図１】
2010263658.tif 000003
【図２】
2010263658.tif 000004
【図３】
2010263658.tif 000005
【図４】
2010263658.tif 000006
【図５】
2010263658.tif 000007
【図６】
2010263658.tif 000008
【図７】
2010263658.tif 000009
【図８】
2010263658.tif 000010
【図９】
2010263658.tif 000011
【図１０】
2010263658.tif 000012
【図１１】
2010263658.tif 000013
【図１２】
2010263658.tif 000014
【図１３】
2010263658.tif 000015
【図１４】
2010263658.tif 000016
【図１５】
2010263658.tif 000017
【図１６】
2010263658.tif 000018
【図１７】
2010263658.tif 000019
【図１８】
2010263658.tif 000020
【図１９】
2010263658.tif 000021
【図２０】
2010263658.tif 000022
【図２１】
2010263658.tif 000023
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
被印刷媒体に画像を印刷するためのプリンタ部と、
印刷情報の設定指示と、カラー印刷の指示と、モノクロ印刷の指示と、を受け付ける指示受付部と、
前記印刷情報の設定指示を受け付けた後に前記カラー印刷の指示を受け付けた場合に、前記被印刷媒体の第１領域に前記印刷情報の設定指示に基づいて第１の画像のカラー印刷を開始するようにプリンタ部を制御し、前記カラー印刷を開始した後に前記モノクロ印刷の指示を受け付けた場合に、前記被印刷媒体の第２領域に前記印刷情報の設定指示に基づいて第２の画像のモノクロ印刷を開始するようにプリンタ部を制御する制御部と、
を備えたことを特徴とする印刷装置。
【請求項２】
被印刷媒体に画像を印刷するためのプリンタ部と、
印刷情報の設定指示と、カラー印刷の指示と、モノクロ印刷の指示と、を受け付ける指示受付部と、
前記印刷情報の設定指示を受け付けた後に前記モノクロ印刷の指示を受け付けた場合に、前記被印刷媒体の第１領域に前記印刷情報の設定指示に基づいて第１の画像のモノクロ印刷を開始するようにプリンタ部を制御し、前記モノクロ印刷を開始した後に前記カラー印刷の指示を受け付けた場合に、前記被印刷媒体の第２領域に前記印刷情報の設定指示に基づいて第２の画像のカラー印刷を開始するようにプリンタ部を制御する制御部と、
を備えたことを特徴とする印刷装置。
【請求項３】
原稿から画像を読み取るためのスキャナ部を更に備え、
前記制御部は、前記印刷情報の設定指示を受け付けた後に前記カラー印刷の指示を受け付けた場合に、前記スキャナ部に前記第１の画像の読み取りを開始させ、前記スキャナ部に前記第１の画像の読み取りを開始させた後に、前記被印刷媒体の第１領域に前記印刷情報の設定指示に基づいて前記第１の画像のカラー印刷を開始するようにプリンタ部を制御し、前記カラー印刷を開始した後に前記モノクロ印刷の指示を受け付けた場合に、前記スキャナ部に前記第２の画像の読み取りを開始させ、前記スキャナ部に前記第２の画像の読み取りを開始させた後に、前記被印刷媒体の第２領域に前記印刷情報の設定指示に基づいて前記第２の画像のモノクロ印刷を開始するようにプリンタ部を制御する、
ことを特徴とする請求項１に記載の印刷装置。
【請求項４】
原稿から画像を読み取るためのスキャナ部を更に備え、
前記制御部は、前記印刷情報の設定指示を受け付けた後に前記モノクロ印刷の指示を受け付けた場合に、前記スキャナ部に前記第１の画像の読み取りを開始させ、前記スキャナ部に前記第１の画像の読み取りを開始させた後に、前記被印刷媒体の第１領域に前記印刷情報の設定指示に基づいて前記第１の画像のモノクロ印刷を開始するようにプリンタ部を制御し、前記モノクロ印刷を開始した後に前記カラー印刷の指示を受け付けた場合に、前記スキャナ部に前記第２の画像の読み取りを開始させ、前記スキャナ部に前記第２の画像の読み取りを開始させた後に、前記被印刷媒体の第２領域に前記印刷情報の設定指示に基づいて前記第２の画像のカラー印刷を開始するようにプリンタ部を制御する、
ことを特徴とする請求項２に記載の印刷装置。
【請求項５】
被印刷媒体に画像を印刷するためのプリンタ部と、
印刷情報の設定指示と、カラー印刷の指示と、モノクロ印刷の指示と、を受け付ける指示受付部と、
を用いた印刷方法であって、
前記印刷情報の設定指示を受け付けた後に前記カラー印刷の指示を受け付けた場合に、前記被印刷媒体の第１領域に前記印刷情報の設定指示に基づいて第１の画像のカラー印刷を開始するようにプリンタ部を制御し、前記カラー印刷を開始した後に前記モノクロ印刷の指示を受け付けた場合に、前記被印刷媒体の第２領域に前記印刷情報の設定指示に基づいて第２の画像のモノクロ印刷を開始するようにプリンタ部を制御する
ことを特徴とする印刷方法。
【請求項６】
被印刷媒体に画像を印刷するためのプリンタ部と、
印刷情報の設定指示と、カラー印刷の指示と、モノクロ印刷の指示と、を受け付ける指示受付部と、
を用いた印刷方法であって、
前記印刷情報の設定指示を受け付けた後に前記モノクロ印刷の指示を受け付けた場合に、前記被印刷媒体の第１領域に前記印刷情報の設定指示に基づいて第１の画像のモノクロ印刷を開始するようにプリンタ部を制御し、前記モノクロ印刷を開始した後に前記カラー印刷の指示を受け付けた場合に、前記被印刷媒体の第２領域に前記印刷情報の設定指示に基づいて第２の画像のカラー印刷を開始するようにプリンタ部を制御する
ことを特徴とする印刷方法。
【請求項７】
前記プリンタ部と前記指示受付部とを備えた印刷装置に、請求項５又は請求項６に記載の印刷方法を実現させることを特徴とするプログラム。
【手続補正３】
【補正対象書類名】明細書
【補正対象項目名】０００８
【補正方法】変更
【補正の内容】
【０００８】
前記課題を解決するための主たる第１の本発明は、被印刷媒体に画像を印刷するためのプリンタ部と、印刷情報の設定指示と、カラー印刷の指示と、モノクロ印刷の指示と、を受け付ける指示受付部と、前記印刷情報の設定指示を受け付けた後に前記カラー印刷の指示を受け付けた場合に、前記被印刷媒体の第１領域に前記印刷情報の設定指示に基づいて第１の画像のカラー印刷を開始するようにプリンタ部を制御し、前記カラー印刷を開始した後に前記モノクロ印刷の指示を受け付けた場合に、前記被印刷媒体の第２領域に前記印刷情報の設定指示に基づいて第２の画像のモノクロ印刷を開始するようにプリンタ部を制御する制御部と、を備えたことを特徴とする印刷装置である。
また、前記課題を解決するための主たる第２の本発明は、被印刷媒体に画像を印刷するためのプリンタ部と、印刷情報の設定指示と、カラー印刷の指示と、モノクロ印刷の指示と、を受け付ける指示受付部と、前記印刷情報の設定指示を受け付けた後に前記モノクロ印刷の指示を受け付けた場合に、前記被印刷媒体の第１領域に前記印刷情報の設定指示に基づいて第１の画像のモノクロ印刷を開始するようにプリンタ部を制御し、前記モノクロ印刷を開始した後に前記カラー印刷の指示を受け付けた場合に、前記被印刷媒体の第２領域に前記印刷情報の設定指示に基づいて第２の画像のカラー印刷を開始するようにプリンタ部を制御する制御部と、を備えたことを特徴とする印刷装置である。
本発明の他の特徴については、本明細書及び添付図面の記載により明らかにする。